(57)【要約】【課題】  水漏れすることなく、長寿命化及び小形化を図りえる洗濯機用自吸式ポンプ装置及びその洗濯機用自吸式ポンプ装置の組立方法の提供。【解決手段】  上記課題は、ポンプケーシング３を、第２気水分離室７Ｂと、モータ部材２の一部及び駆動側円筒状マグネット体１６を収納する駆動側円筒状マグネット収納室１７と、従動側円筒状マグネット体１５を収納する従動側円筒状マグネット収納室１８とが形成される構成とし、しかも、ポンプケーシング３のポンプランナー収納室６に対向する外壁面に、円筒状凹部３Ｂを形成して、この円筒状凹部３Ｂ内に従動側円筒状マグネット体１５を配設し、かつ、駆動側円筒状マグネット収納室１７内にモータ部材２の回転軸に取り付けられた駆動側円筒状マグネット体１６を挿入してその駆動側円筒状マグネット体１６を円筒状凹部３Ｂの外方に配設することにより、達成できる。【選択図】      図１
2008110112.tif 000002
【特許請求の範囲】
【請求項１】
モータ部材が取り付けられたポンプケーシングと、このポンプケーシングに水密的に取り付けられたポンプカバーと、このポンプカバーの内壁に取り付けられて吸込み室とポンプランナー収納室と気水分離室とに仕切るための仕切り体と、前記ポンプランナー収納室内に支持軸によって回転自在に設けたポンプランナーと、このポンプランナーを回転させることで前記吸込み室と前記ポンプランナー収納室と気水分離室とに水を吸込ませるための吸水口と、前記ポンプランナーを回転させることで前記吸込み室内及び前記ポンプランナー収納室内の水を前記ポンプカバーの外方に吐出させるための吐出口と、前記吸込み室内及び前記ポンプランナー収納室内に呼び水を注入するための呼び水口と、前記吸込み室から前記吸水口への水の逆流を阻止する逆流防止弁と、前記ポンプランナーに設けた従動側円筒状マグネット体と、前記モータ部材の回転軸に取り付けられた駆動側円筒状マグネット体とを備えてなる洗濯機用自吸式ポンプ装置において、前記ポンプケーシングを、前記ポンプランナー収納室に連通させてなる気水分離室と、この気水分離室に併設されて前記ポンプケーシングの反ポンプカバー側に設けた挿入開口から前記モータ部材の一部及び前記駆動側円筒状マグネット体が収納される駆動側円筒状マグネット収納室と、前記ポンプケーシングのポンプランナー収納室に対向する対向外壁に形成されて前記従動側円筒状マグネット体が収納される従動側円筒状マグネット収納室となる円筒状凹部とを形成する構成とし、前記モータ部材の回転軸に前記駆動側円筒状マグネット体が取り付けられた状態でその駆動側円筒状マグネット体を、前記駆動側円筒状マグネット収納室の前記挿入開口から前記駆動側円筒状マグネット収納室に挿入することにより前記駆動側円筒状マグネット体の駆動側円筒状マグネットを前記円筒状凹部の外周に配設させ、かつ、前記円筒状凹部内に前記従動側円筒状マグネット体の従動側円筒状マグネットを配設させることによって、前記駆動側円筒状マグネットと前記従動側円筒状マグネットを、前記ポンプケーシングの外壁を介して同心円筒状に対向させることで磁気結合させ、しかも、前記支持軸の一端側を前記円筒状凹部の中央部に、かつ、前記支持軸の他端側を前記仕切り体の流入開口を通して前記ポンプカバーの内壁に、それぞれ支持することを特徴とする洗濯機用自吸式ポンプ装置。
【請求項２】
前記ポンプカバーは、前記吸水口と、前記吐出口と、前記呼び水口と、前記吸込み室から前記吸水口側への水の逆流を阻止する前記逆流防止弁の封止弁座と、前記逆流防止弁の取り付け片が嵌合する取り付け凹部と、前記仕切り板を前記ポンプカバー内壁に取り付けるための嵌合突起溝部が係合する係止突起体と、前記ポンプカバー内壁に設けられて弾性封止部材を介して前記仕切り板に設けた凹みに押圧される凸状リブと、前記支持軸の他端側が嵌合する筒状凹部と、前記ポンプケーシングのポンプカバー側の端縁に形成された取り付けフランジに水密的に取り付けられる取り付けフランジを、合成樹脂で一体成形したものであることを特徴とする請求項１記載の洗濯機用自吸式ポンプ装置。
【請求項３】
前記仕切り体は、前記封止弁座に対向する位置に形成された前記逆流防止弁の開閉ストローク確保用の袋部と、この袋部の内壁に設けた封止ばね受け凹部と、前記ポンプケーシングの外壁に圧接する渦巻き壁と、前記ポンプカバー内壁に設けた係止突起体に係合して前記仕切り板を前記ポンプカバー内壁に取り付けるための嵌合突起溝部と、前記逆流防止弁の取り付け片を前記ポンプカバーの取り付け凹部に押圧するための押圧リブと、前記ポンプランナーの中央開口に対向する位置に形成された流入開口と、前記ポンプカバー内壁に設けた凸状リブが前記弾性封止部材を介して押圧される凹みを、合成樹脂で一体成形したものであることを特徴とする請求項２記載の洗濯機用自吸式ポンプ装置。
【請求項４】
前記ポンプランナーの回転時にそのポンプランナーの回転により発生した負圧によって前記逆流防止弁が開いた状態となり、かつ、前記ポンプランナーの停止時に前記逆流防止弁が閉じた状態にする押圧力を、前記逆流防止弁に働かせる封止ばねを設け、この封止ばねの一端を前記逆流防止弁の筒状突起部に、かつ、前記封止ばねの他端を前記仕切り体の封止ばね受け凹部に装着した状態で、前記仕切り体の上端に設けた前記嵌合突起溝部を、前記ポンプカバーの内壁に設けた前記係止突起体に一体化することによって、前記仕切り体を前記ポンプカバーの内壁に取り付けることにより、前記仕切り体と前記逆流防止弁との間に前記封止ばねを保持させたことを特徴とする請求項３記載の洗濯機用自吸式ポンプ装置。
【請求項５】
前記モータ部材は、円筒状のモータケースと、このモータケース内に収納支持されたモータ本体と、モータケースのモータ本体挿入開口に装着したモータキャップと、モータケースの外周に設けられた複数個の取り付け片とを有する構成とするとともに、前記モータケースの一部を前記駆動側円筒状マグネット収納室内に挿入した状態で、前記取り付け片を前記ポンプケーシングの反ポンプカバー側外壁面に固定することにより、前記モータ部材を前記ポンプケーシングに一体化したことを特徴とする請求項１、２、３若しくは４記載の洗濯機用自吸式ポンプ装置。
【請求項６】
前記支持軸は、一端側であるDカット形状部側を、前記ポンプケーシングの外壁に設けたＤカット状嵌合穴に挿入し、かつ、他端側を、前記仕切り体の流入開口を通して前記ポンプカバーの内壁面に設けた前記筒状凹部に挿入した後、前記ポンプケーシングと前記ポンプカバーを水密的に一体化させた状態にすることで、前記ポンプケーシングと前記ポンプカバーとの間に挟持固定されることを特徴とする請求項３、４若しくは５記載の洗濯機用自吸式ポンプ装置。
【請求項７】
モータ部材が取り付けられたポンプケーシングと、このポンプケーシングに水密的に取り付けられたポンプカバーと、このポンプカバーの内壁に取り付けられて吸込み室とポンプランナー収納室と気水分離室とに仕切るための仕切り体と、前記ポンプランナー収納室内に設けた支持軸と、この支持軸に回転自在に設けたポンプランナーと、このポンプランナーを回転させることで前記吸込み室及び前記ポンプランナー収納室内に水を吸込ませるための吸水口と、前記ポンプランナーを回転させることで前記吸込み室及び前記ポンプランナー収納室内の水を吐出させるための吐出口と、前記ポンプランナーに設けた従動側円筒状マグネット体と、前記モータ部材の回転軸に取り付けられた駆動側円筒状マグネット体とを少なくとも備え、前記駆動側円筒状マグネット体と前記従動側円筒状マグネット体を、前記ポンプケーシングの外壁を介して対向させることで磁気結合させる構成とした洗濯機用自吸式ポンプ装置において、前記支持軸の一端側であるDカット形状部側を前記ポンプケーシングの外壁に設けたＤカット状嵌合穴に、かつ、前記支持軸の他端側を前記仕切り体の流入開口を通して前記ポンプカバーの内壁に設けた筒状凹部に、それぞれ取り付け、しかも、前記ポンプランナーの中心に圧入固定されるカーボン製の軸受を、前記支持軸に嵌合する中空円筒部と、この中空円筒部の端縁に形成した円形状鍔部とから構成するとともに、前記軸受の円形状鍔部に摺接する中空円筒形状のセラミック体を設け、そのセラミック体の前記ポンプケーシング側の面に、前記Ｄカット状嵌合穴に嵌るＤカット状部を形成してなることを特徴とする洗濯機用自吸式ポンプ装置。
【請求項８】
モータ部材が取り付けられたポンプケーシングと、このポンプケーシングに水密的に取り付けられたポンプカバーと、このポンプカバーの内壁に取り付けられて吸込み室とポンプランナー収納室と気水分離室とに仕切るための仕切り体と、前記ポンプランナー収納室内に支持軸によって回転自在に設けたポンプランナーと、このポンプランナーを回転させることで前記吸込み室及び前記ポンプランナー収納室内に水を吸込ませるための吸水口と、前記ポンプランナーを回転させることで前記吸込み室及び前記ポンプランナー収納室内の水を吐出させるための吐出口と、前記ポンプランナーに設けた従動側円筒状マグネット体と、前記モータ部材の回転軸に取り付けられた駆動側円筒状マグネット体とを少なくとも備え、前記ポンプケーシングを、このポンプケーシングの反ポンプカバー側に設けた挿入開口から前記モータ部材の一部及び前記駆動側円筒状マグネット体が収納される駆動側円筒状マグネット収納室と、前記ポンプケーシングのポンプランナー収納室に対向する対向外壁に形成されて前記従動側円筒状マグネット体が収納される従動側円筒状マグネット収納室となる円筒状凹部とを有する構成とし、しかも、前記モータ部材の回転軸に前記駆動側円筒状マグネット体が取り付けられた状態でその駆動側円筒状マグネット体を、前記ポンプケーシングの反ポンプカバー側に設けた挿入開口から前記駆動側円筒状マグネット収納室に挿入することによりその前記駆動側円筒状マグネット体の駆動側円筒状マグネットを前記円筒状凹部の外周に配設させ、かつ、前記円筒状凹部内に前記従動側円筒状マグネット体の従動側円筒状マグネットを配設させることによって、前記駆動側円筒状マグネットと前記従動側円筒状マグネットを、前記ポンプケーシングの外壁を介して同心円筒状に対向させることで磁気結合させてなる洗濯機用自吸式ポンプ装置において、前記駆動側円筒状マグネット体を、円筒容器状収納ケースと、この円筒容器状収納ケースの底中央部に形成されてモータ本体の回転軸に圧入固定される中空ボス部と、前記円筒容器状収納ケースの内周壁に嵌めた円筒状の駆動側円筒状マグネットとからなり、前記円筒容器状収納ケースに複数個の弾性爪部を、かつ、前記駆動側円筒状マグネットに複数個の係止凹部を、それぞれ形成して、前記弾性爪部を前記係止凹部に係止させることによって、前記駆動側円筒状マグネットを前記円筒容器状収納ケースの内周壁に固定する構成にしてなることを特徴とする洗濯機用自吸式ポンプ装置。
【請求項９】
前記従動側円筒状マグネット体は、前記ポンプランナーの側面に一体的に設けられた円筒状取り付け部材と、この円筒状取り付け部材の外周壁に嵌めた円筒状の従動側円筒状マグネットとからなり、前記円筒状取り付け部材に複数個の弾性爪部を、かつ、前記従動側円筒状マグネットに複数個の係止凹部を、それぞれ形成して、前記弾性爪部を前記係止凹部に係止させることで、前記従動側円筒状マグネットを前記円筒状取り付け部材の外周壁に固定する構成にしてなることを特徴とする請求項８記載の洗濯機用自吸式ポンプ装置。
【請求項１０】
（ａ）モータ本体をモータケースのモータ本体挿入開口からモータケース内に挿入して、そのモータ本体の回転軸がモータケースの貫通孔から外方に突出した状態となるように、かつ、モータケース内でモータ本体が回動しないように、モータケース内にモータ本体を固定する工程と、
（ｂ）モータケースの貫通孔から外方に突出した回転軸を上に向けた状態で、その回転軸に駆動側円筒状マグネット体を構成する中空ボス部を圧入固定することにより、モータ部材に駆動側円筒状マグネット体を取り付ける工程と、
（ｃ）モータパッキング及びモータキャップを、モータケースのモータ本体挿入開口に、かつ、電気的接続体がモータケースの外に引き出されるように、装着することによって、モータ部材及び駆動側円筒状マグネット体の組立作業を完了させる工程と、
（ｄ）モータ部材に取り付けられた駆動側円筒状マグネット体を、ポンプケーシングの駆動側円筒状マグネット収納室に、ポンプケーシングの挿入開口から挿入して、駆動側円筒状マグネット体の駆動側円筒状マグネットをポンプケーシングの円筒状凹部の外周方向に配設させる工程と、
（ｅ）モータケースを駆動側円筒状マグネット収納室に挿入して、そのモータケースの外周に設けられた複数個の取り付け片がポンプケーシングの反ポンプカバー側外壁面に当接させたならば、その取り付け片をポンプケーシングの反ポンプカバー側外壁面に取り付けることにより、ポンプケーシングにモータ部材が取り付けられる工程と、
（ｆ）セラミック体のＤカット状部を、ポンプケーシングの外壁に設けたＤカット状嵌合穴に形成したＤカット状嵌合部に嵌合させた後、予め、ポンプランナー、ワッシャー及びＥリングを装着した支持軸のDカット形状部側を、セラミック体の中央挿入孔を通してポンプケーシングのＤカット状嵌合穴に嵌合させることによって、従動側円筒状マグネット体の従動側円筒状マグネットを、ポンプケーシングのポンプランナー収納室に対向する対向壁面に設けた円筒状凹部内に配設される工程と、
（ｇ）ポンプカバーの取り付け凹部に逆流防止弁の取り付け片部を圧入した後、その逆流防止弁における弁体部の円状突起部と仕切り体の封止ばね受け凹部とに封止ばねが装着された状態で、ポンプカバーの内壁に設けた凸状リブに、弾性封止部材を介して仕切り体の側壁に設けた凹みを押圧させた後、ポンプカバーの内壁に設けた円柱状の係止突起体に、仕切り体の上端側に設けた嵌合突起溝部を挿入した状態で、その係止突起体を嵌合突起溝部にカシメ若しくは溶着させることにより、ポンプカバーの内壁側に仕切り体を一体的に取り付ける工程と、
（ｈ）支持軸の他端側を、仕切り体の流入開口を通してポンプカバーの筒状凹部に嵌合させつつ、ポンプケーシングの外壁に設けた渦巻き状嵌合溝に、仕切り体に形成した渦巻き壁を嵌合させることで、ポンプランナー収納室を形成する工程と、
（ｉ）ポンプケーシングの取り付けフランジとポンプカバーの取り付けフランジとを、溶着させる若しくはパッキング部材を介して複数本の螺子で締結させることで、ポンプケーシングとポンプカバーを水密的に一体化させる工程とを、
少なくとも含む工程からなることを特徴とする洗濯機用自吸式ポンプ装置の組立方法。
【発明の詳細な説明】
【技術分野】
【０００１】
本発明は、洗濯機のトップカバーに搭載するのに好適な洗濯機用自吸式ポンプ装置及びその洗濯機用自吸式ポンプ装置の組立方法に関するものである。
【背景技術】
【０００２】
従来、家庭用の全自動洗濯機及び洗濯乾燥機などの洗濯機では、主に節水を目的として風呂水等を洗濯水として利用するため洗濯機用自吸式ポンプ装置を搭載している。この洗濯機用自吸式ポンプ装置としては、モータ部材と、このモータ部材を収納するモータ収納室及び気水分離室が形成されたポンプケーシングと、このポンプケーシングに取り付けられ、かつ、吸水口、呼び水口及び吐出口を設けたポンプカバーと、このポンプカバー内を渦巻き室及び気水分離室側と吸込み室側とに仕切る仕切り体と、前記渦巻き室に収納されたポンプランナーと、このポンプランナーの軸体と前記モータ部材の回転軸を直接連結する連結手段と、前記渦巻き室からポンプケーシングのモータ収納室側への水の浸入を阻止するためのシール装置とからなり、そのシール装置を、モータの回転軸に接続されたポンプランナーの軸体外周に可撓性シールリップを摺接させるようにした構造のものが知られている（例えば、特許文献１）。
【０００３】
【特許文献１】特開２００６−１４４６２０号公報
【発明の開示】
【発明が解決しようとする課題】
【０００４】
しかしながら、上記特許文献１に記載された洗濯機用自吸式ポンプ装置では、シール装置が回転部に摺接されているため、そのシール装置の磨耗や熱劣化が短期間に進む可能性がある。そして、シール装置の磨耗や熱劣化が進むと、そのシール装置から水漏れが発生してしまい、その水漏れした渦巻き室内の水が、モータ部材の回転軸を伝わってモータ収納室に入り込み、ポンプケーシングから洗濯機用自吸式ポンプ装置が収納されている洗濯機のトップカバーなどの設置体上に流出してしまう。そのために、洗濯機用自吸式ポンプ装置のモータ部材周りの電気部品類にモータ収納室に入り込んだ水がかかったり、ポンプケーシングの水抜き孔から流出した水がトップカバーなどの設置体上に設置されている電気部品類にかかったりして、感電等の電気的事故をひきおこす可能性があるという問題があった。
【０００５】
しかも、近年、洗濯機などの機器に組み込まれている洗濯機用自吸式ポンプ装置においては、安全性のさらなる向上を図るために、ポンプケーシング及びポンプカバー内の水が、モータ収納室内に流入してきて、ポンプケーシングから水漏れが長時間に亘って発生してしまうようなことのないものが求められている。また、洗濯機のトップカバー内には、様々な付加機能を有する電気部品類が収納されるため、さらに小形化された洗濯機用自吸式ポンプ装置が求められている。また、洗濯作業時に、洗濯機用自吸式ポンプ装置のポンプランナーの回転を停止した状態で、水道水栓に直結された給水電磁弁から吐出された水道水を、開放状態で所定の管路を介して洗濯機用自吸式ポンプ装置の呼び水口から気水分離室、ポンプランナー収納室及び吸込み室内に流入させ、その水道水を、洗濯機用自吸式ポンプ装置の吐出口から洗濯槽へ流出させることを可能にする洗濯機用自吸式ポンプ装置が求められている。
【０００６】
本発明は、上記背景技術の現状を鑑みてなされたもので、その目的は、ポンプケーシングのモータ収納室側への水の流入を半永久的に阻止することができ、長寿命化され、かつ、小形化されて、湿気の高い環境の設置場所で使用するのに好適であって、水道水栓に直結された給水電磁弁から吐出された水道水を、開放状態で所定の管路を介してポンプカバーの吐出口から洗濯槽に供給（給水）することを可能にする洗濯機用自吸式ポンプ装置を提供することにある。さらに、本発明の目的は、すべての部品の組立作業を、流れ作業で円滑に難なく行うことができて、生産性を向上させることができる洗濯機用自吸式ポンプ装置の組立方法を提供することにある。
【課題を解決するための手段】
【０００７】
上記目的を達成するために、本発明は、モータ部材が取り付けられたポンプケーシングと、このポンプケーシングに水密的に取り付けられたポンプカバーと、このポンプカバーの内壁に取り付けられて吸込み室とポンプランナー収納室と気水分離室とに仕切るための仕切り体と、前記ポンプランナー収納室内に支持軸によって回転自在に設けたポンプランナーと、このポンプランナーを回転させることで前記吸込み室と前記ポンプランナー収納室と気水分離室とに水を吸込ませるための吸水口と、前記ポンプランナーを回転させることで前記吸込み室内及び前記ポンプランナー収納室内の水を前記ポンプカバーの外方に吐出させるための吐出口と、前記吸込み室内及び前記ポンプランナー収納室内に呼び水を注入するための呼び水口と、前記吸込み室から前記吸水口への水の逆流を阻止する逆流防止弁と、前記ポンプランナーに設けた従動側円筒状マグネット体と、前記モータ部材の回転軸に取り付けられた駆動側円筒状マグネット体とを備えてなる洗濯機用自吸式ポンプ装置において、前記ポンプケーシングを、前記ポンプランナー収納室に連通させてなる気水分離室と、この気水分離室に併設されて前記ポンプケーシングの反ポンプカバー側に設けた挿入開口から前記モータ部材の一部及び前記駆動側円筒状マグネット体が収納される駆動側円筒状マグネット収納室と、前記ポンプケーシングのポンプランナー収納室に対向する対向外壁に形成されて前記従動側円筒状マグネット体が収納される従動側円筒状マグネット収納室となる円筒状凹部とを形成する構成とし、前記モータ部材の回転軸に前記駆動側円筒状マグネット体が取り付けられた状態でその駆動側円筒状マグネット体を、前記駆動側円筒状マグネット収納室の前記挿入開口から前記駆動側円筒状マグネット収納室に挿入することによりその前記駆動側円筒状マグネット体の駆動側円筒状マグネットを前記円筒状凹部の外周に配設させ、かつ、前記円筒状凹部内に前記従動側円筒状マグネット体の従動側円筒状マグネットを配設させることによって、前記駆動側円筒状マグネットと前記従動側円筒状マグネットを、前記ポンプケーシングの外壁を介して同心円筒状に対向させることで磁気結合させ、しかも、前記支持軸の一端側を前記円筒状凹部の中央部に、かつ、前記支持軸の他端側を前記仕切り体の流入開口を通して前記ポンプカバーの内壁に、それぞれ支持させたことを特徴としている。
【０００８】
さらに、本発明は、前記ポンプカバーは、前記吸水口と、前記吐出口と、前記呼び水口と、前記吸込み室から前記吸水口側への水の逆流を阻止する前記逆流防止弁の封止弁座と、前記逆流防止弁の取り付け片が嵌合する取り付け凹部と、前記仕切り板を前記ポンプカバー内壁に取り付けるための嵌合突起溝部が係合する係止突起体と、前記ポンプカバー内壁に設けられて弾性封止部材を介して前記仕切り板に設けた凹みに押圧される凸状リブと、前記支持軸の他端側が嵌合する筒状凹部と、前記ポンプケーシングのポンプカバー側の端縁に形成された取り付けフランジに水密的に取り付けられる取り付けフランジを、合成樹脂で一体成形したものであることを特徴としている。
【０００９】
さらに、本発明は、前記仕切り体は、前記封止弁座に対向する位置に形成された前記逆流防止弁の開閉ストローク確保用の袋部と、この袋部の内壁に設けた封止ばね受け凹部と、前記ポンプケーシングの外壁に圧接する渦巻き壁と、前記ポンプカバー内壁に設けた係止突起体に係合して前記仕切り板を前記ポンプカバー内壁に取り付けるための嵌合突起溝部と、前記逆流防止弁の取り付け片を前記ポンプカバーの取り付け凹部に押圧するための押圧リブと、前記ポンプランナーの中央開口に対向する位置に形成された流入開口と、前記ポンプカバー内壁に設けた凸状リブが前記弾性封止部材を介して押圧される凹みを、合成樹脂で一体成形したものであることを特徴としている。
【００１０】
さらに、本発明は、前記ポンプランナーの回転時にそのポンプランナーの回転により発生した負圧によって前記逆流防止弁が開いた状態となり、かつ、前記ポンプランナーの停止時に前記逆流防止弁が閉じた状態にする押圧力を、前記逆流防止弁に働かせる封止ばねを設け、この封止ばねの一端を前記逆流防止弁の筒状突起部に、かつ、前記封止ばねの他端を前記仕切り体の封止ばね受け凹部に装着した状態で、前記仕切り体の上端に設けた前記嵌合突起溝部を、前記ポンプカバーの内壁に設けた前記係止突起体に一体化することによって、前記仕切り体を前記ポンプカバーの内壁に取り付けることにより、前記仕切り体と前記逆流防止弁との間に前記封止ばねを保持させたことを特徴としている。
【００１１】
さらに、本発明は、前記モータ部材を、円筒状のモータケースと、このモータケース内に収納支持されたモータ本体と、モータケースのモータ本体挿入開口に装着したモータキャップと、モータケースの外周に設けられた複数個の取り付け片とを有する構成とするとともに、前記モータケースの一部を前記駆動側円筒状マグネット収納室内に挿入した状態で、前記取り付け片を前記ポンプケーシングの反ポンプカバー側外壁面に固定することにより、前記モータ部材を前記ポンプケーシングに一体化したことを特徴としている。
【００１２】
さらに、本発明は、前記支持軸は、一端側を、前記ポンプケーシングの外壁に設けた前記Ｄカット状嵌合穴に挿入し、かつ、他端側を、前記仕切り体の流入開口を通して前記ポンプカバーの内壁面に設けた前記筒状凹部に挿入した後、前記ポンプケーシングと前記ポンプカバーを水密的に一体化させた状態にすることで、前記ポンプケーシングと前記ポンプカバーとの間に挟持固定されることを特徴としている。
【００１３】
さらに、本発明は、モータ部材が取り付けられたポンプケーシングと、このポンプケーシングに水密的に取り付けられたポンプカバーと、このポンプカバーの内壁に取り付けられて吸込み室とポンプランナー収納室と気水分離室とに仕切るための仕切り体と、前記ポンプランナー収納室内に設けた支持軸と、この支持軸に回転自在に設けたポンプランナーと、このポンプランナーを回転させることで前記吸込み室及び前記ポンプランナー収納室内に水を吸込ませるための吸水口と、前記ポンプランナーを回転させることで前記吸込み室及び前記ポンプランナー収納室内の水を吐出させるための吐出口と、前記ポンプランナーに設けた従動側円筒状マグネット体と、前記モータ部材の回転軸に取り付けられた駆動側円筒状マグネット体とを少なくとも備え、前記駆動側円筒状マグネット体と前記従動側円筒状マグネット体を、前記ポンプケーシングの外壁を介して対向させることで磁気結合させる構成とした洗濯機用自吸式ポンプ装置において、前記支持軸の一端側を前記ポンプケーシングの外壁に設けたＤカット状嵌合穴に、かつ、前記支持軸の他端側を前記仕切り体の流入開口を通して前記ポンプカバーの内壁に設けた筒状凹部に、それぞれ取り付け、しかも、前記ポンプランナーの中心に圧入固定されるカーボン製の軸受を、前記支持軸に嵌合する中空円筒部と、この中空円筒部の端縁に形成した円形状鍔部とから構成するとともに、前記軸受の円形状鍔部に摺接する中空円筒形状のセラミック体を設け、そのセラミック体の前記ポンプケーシング側の面に、前記Ｄカット状嵌合穴に嵌るＤカット状部を形成してなることを特徴としている。
【００１４】
さらに、本発明は、モータ部材が取り付けられたポンプケーシングと、このポンプケーシングに水密的に取り付けられたポンプカバーと、このポンプカバーの内壁に取り付けられて吸込み室とポンプランナー収納室と気水分離室とに仕切るための仕切り体と、前記ポンプランナー収納室内に支持軸によって回転自在に設けたポンプランナーと、このポンプランナーを回転させることで前記吸込み室及び前記ポンプランナー収納室内に水を吸込ませるための吸水口と、前記ポンプランナーを回転させることで前記吸込み室及び前記ポンプランナー収納室内の水を吐出させるための吐出口と、前記ポンプランナーに固定された従動側円筒状マグネット体と、前記モータ部材の回転軸に取り付けられた駆動側円筒状マグネット体とを少なくとも備え、前記ポンプケーシングを、このポンプケーシングの反ポンプカバー側に設けた挿入開口から前記モータ部材の一部及び前記駆動側円筒状マグネット体が収納される駆動側円筒状マグネット収納室と、前記ポンプケーシングのポンプランナー収納室に対向する対向外壁に形成されて前記従動側円筒状マグネット体が収納される従動側円筒状マグネット収納室となる円筒状凹部とを有する構成とし、しかも、前記モータ部材の回転軸に前記駆動側円筒状マグネット体が取り付けられた状態でその駆動側円筒状マグネット体を、前記ポンプケーシングの反ポンプカバー側に設けた挿入開口から前記駆動側円筒状マグネット収納室に挿入することによりその前記駆動側円筒状マグネット体の駆動側円筒状マグネットを前記円筒状凹部の外周に配設させ、かつ、前記円筒状凹部内に前記従動側円筒状マグネット体の従動側円筒状マグネットを配設させることによって、前記駆動側円筒状マグネットと前記従動側円筒状マグネットを、前記ポンプケーシングの外壁を介して同心円筒状に対向させることで磁気結合させてなる洗濯機用自吸式ポンプ装置において、前記駆動側円筒状マグネット体を、円筒容器状収納ケースと、この円筒容器状収納ケースの底中央部に形成されてモータ本体の回転軸に圧入固定される中空ボス部と、前記円筒容器状収納ケースの内周壁に嵌めた円筒状の駆動側円筒状マグネットとからなり、前記円筒容器状収納ケースに複数個の弾性爪部を、かつ、前記駆動側円筒状マグネットに複数個の係止凹部を、それぞれ形成して、前記弾性爪部を前記係止凹部に係止させることによって、前記駆動側円筒状マグネットを前記円筒容器状収納ケースの内周壁に固定する構成にしてなることを特徴としている。
【００１５】
さらに、本発明は、前記従動側円筒状マグネット体は、前記ポンプランナーの側面に一体的に設けられた円筒状取り付け部材と、この円筒状取り付け部材の外周壁に嵌めた円筒状の従動側円筒状マグネットとからなり、前記円筒状取り付け部材に複数個の弾性爪部を、かつ、前記従動側円筒状マグネットに複数個の係止凹部を、それぞれ形成して、前記弾性爪部を前記係止凹部に係止させることで、前記従動側円筒状マグネットを前記円筒状取り付け部材の外周壁に固定する構成にしてなることを特徴としている。
【００１６】
さらに、上記目的を達成するために、本発明は、モータ本体をモータケースのモータ本体挿入開口からモータケース内に挿入して、そのモータ本体の回転軸がモータケースの貫通孔から外方に突出した状態となるように、かつ、モータケース内でモータ本体が回動しないように、モータケース内にモータ本体を固定する工程と、モータケースの貫通孔から外方に突出した回転軸を上に向けた状態で、その回転軸に駆動側円筒状マグネット体を構成する中空ボス部を圧入固定することにより、モータ部材に駆動側円筒状マグネット体を取り付ける工程と、モータパッキング及びモータキャップを、モータケースのモータ本体挿入開口に、かつ、電気的接続体がモータケースの外に引き出されるように、装着することによって、モータ部材及び駆動側円筒状マグネット体の組立作業を完了させる工程と、モータ部材に取り付けられた駆動側円筒状マグネット体を、ポンプケーシングの駆動側円筒状マグネット収納室に、ポンプケーシングの挿入開口から挿入して、駆動側円筒状マグネット体の駆動側円筒状マグネットをポンプケーシングの円筒状凹部の外周方向に配設させる工程と、モータケースを駆動側円筒状マグネット収納室に挿入されて、モータケースの外周に設けられた複数個の取り付け片がポンプケーシングの反ポンプカバー側外壁面に当接させ、その取り付け片をポンプケーシングの反ポンプカバー側外壁面に取り付けることにより、ポンプケーシングにモータ部材が取り付けられる工程と、セラミック体のＤカット状部を、ポンプケーシングの外壁に設けたＤカット状嵌合穴に形成したＤカット状嵌合部に嵌合させた後、予め、ポンプランナー、ワッシャー及びＥリングを装着した支持軸のDカット形状部側を、セラミック体の中央挿入孔を通してポンプケーシングのＤカット状嵌合穴に嵌合させることによって、従動側円筒状マグネット体の従動側円筒状マグネットを、ポンプケーシングのポンプランナー収納室に対向する対向壁面に設けた円筒状凹部内に配設される工程と、ポンプカバーの取り付け凹部に逆流防止弁の取り付け片部を圧入した後、その逆流防止弁における弁体部の円状突起部と仕切り体の封止ばね受け凹部とに封止ばねが装着された状態で、ポンプカバーの内壁に設けた筒状凹部に、弾性封止部材を介して仕切り体の側壁に設けた凹みを押圧させた後、ポンプカバーの内壁に設けた円柱状の係止突起体に、仕切り体の上端側に設けた嵌合突起溝部を挿入した状態で、その係止突起体を嵌合突起溝部にカシメ若しくは溶着させることにより、ポンプカバーの内壁側に仕切り体を一体的に取り付ける工程と、支持軸の他端側を、仕切り体の流入開口を通してポンプカバーの凸状リブに嵌合させつつ、ポンプケーシングの外壁に設けた渦巻き状嵌合溝に、仕切り体に形成した渦巻き壁を嵌合させることで、ポンプランナー収納室を形成する工程と、ポンプケーシングの取り付けフランジとポンプカバーの取り付けフランジとを、溶着させる若しくはパッキング部材を介して複数本の螺子で締結させることで、ポンプケーシングとポンプカバーを水密的に一体化させる工程とを、少なくとも含む工程からなる洗濯機用自吸式ポンプ装置の組立方法としたことを特徴としている。
【発明の効果】
【００１７】
本発明によれば、ポンプケース内からモータケースのモータ収納室側への水の浸入を阻止することができて、長寿命化され、かつ、小形化されるとともに、吸水した水が設置場所に流出することによる水漏れ不良を起こすことなく、湿気の高い環境の設置場所での使用を可能にする安全性の高い洗濯機用自吸式ポンプ装置が得られる。また、本発明によれば、生産性の向上を可能にする洗濯機用自吸式ポンプ装置の組立方法が得られる。
【発明を実施するための最良の形態】
【００１８】
以下、本発明の実施形態を、図面に基づき、詳説する。図１は、本発明の一実施形態に係わる洗濯機用自吸式ポンプ装置の要部縦断面図である。図２は、本発明の一実施形態に係わる洗濯機用自吸式ポンプ装置の要部外観斜視図である。図３は、本発明の一実施形態に係わる洗濯機用自吸式ポンプ装置を分解した状態を示す全体斜視図である。図４は、本発明の一実施形態に係わる洗濯機用自吸式ポンプ装置のポンプケーシングからポンプカバーを取り外してそのポンプケーシングからポンプランナーを引き出した状態を示す外観斜視図である。図５は、本発明の一実施形態に係わる洗濯機用自吸式ポンプ装置におけるポンプカバーに仕切り体が取り付けられた状態を示す要部斜視図である。図６は、本発明の一実施形態に係わる洗濯機用自吸式ポンプ装置におけるポンプカバーから仕切り体及び封止ばねを取り外した状態を示す要部斜視図である。図７は、本発明の一実施形態に係わる洗濯機用自吸式ポンプ装置における仕切り体の渦巻き壁が設けられた側から見た要部斜視図である。図８は、本発明の一実施形態に係わる洗濯機用自吸式ポンプ装置における仕切り体の凹みが設けられた側から見た要部斜視図である。図９は、本発明の一実施形態に係わる洗濯機用自吸式ポンプ装置における仕切り体の平面図である。図１０は、図９のＡ−Ａ断面図である。図１１は、本発明の一実施形態に係わる洗濯機用自吸式ポンプ装置における逆流防止弁の要部拡大平面図である。図１２は、図１１のＢ−Ｂ断面図である。図１３は、本発明の一実施形態に係わる洗濯機用自吸式ポンプ装置に用いられるセラミック体の外観斜視図である。図１４は、本発明の一実施形態に係わる洗濯機用自吸式ポンプ装置に置ける従動側円筒状マグネット体の分解斜視図である。図１５は、本発明の一実施形態に係わる洗濯機用自吸式ポンプ装置における駆動側円筒状マグネット体の分解斜視図である。図１６は、本発明の一実施形態に係わる洗濯機用自吸式ポンプ装置を搭載してなる洗濯機の要部縦断面図である。図１７は、本発明の一実施形態に係わる洗濯機用自吸式ポンプ装置の組立方法の手順を示す流れ図である。図１８は、本発明の他実施形態に係わる洗濯機用自吸式ポンプ装置の要部縦断面図である。
【００１９】
図1〜図１６に示す本発明の一実施形態に係わる洗濯機用自吸式ポンプ装置１は、モータ部材２が取り付けられたポンプケーシング３と、このポンプケーシング３に水密的に取り付けられたポンプカバー４と、このポンプカバー４の内壁に取り付けられて吸込み室５とポンプランナー収納室６と気水分離室７とに仕切るための仕切り体８と、ポンプランナー収納室６内に支持軸９によって回転自在に設けたクローズブレード方式のポンプランナー１０と、このポンプランナー１０を回転させることで吸込み室５とポンプランナー収納室６と気水分離室７内に水を吸込ませるための吸水口１１と、ポンプランナー１０を回転させることで吸込み室５とポンプランナー収納室６と気水分離室７内の水をポンプカバー４の外方に吐出させるための吐出口１２と、吸込み室５とポンプランナー収納室６と気水分離室７内に呼び水を注入するための呼び水口１３と、吸込み室５から吸水口１１側への水の逆流を阻止する逆流防止弁１４と、ポンプランナー１０に一体に設けた従動側円筒状マグネット体１５と、モータ部材２の後述する回転軸２０Ａに取り付けられた駆動側円筒状マグネット体１６を、少なくとも備えている（図1及び図２参照）。なお、ここで、気水分離室７とは、ポンプカバー４側内の仕切り体８外周に形成される第1気水分離室７Ａと、ポンプケーシング３側内に形成される第２気水分離室７Ｂとからなるものであって、ポンプケーシング３とポンプカバー４が水密的に固定されることで、第1気水分離室７Ａと第２気水分離室７Ｂが連結されることにより構成されるものとする。
【００２０】
ポンプケーシング３は、合成樹脂からなり、図1に示すように、ポンプカバー４側内の仕切り体８外周に形成される第1気水分離室７Ａに連結される第２気水分離室７Ｂと、この第２気水分離室７Ｂに併設されてポンプケーシング３の反ポンプカバー側に設けた挿入開口３Ａからモータ部材２の一部及び駆動側円筒状マグネット体１６が収納される駆動側円筒状マグネット収納室１７と、ポンプケーシング３のポンプランナー収納室６に対向する外壁（以下、対向外壁と称する。）に形成されて従動側円筒状マグネット体１５が収納される従動側円筒状マグネット収納室１８となる円筒状凹部３Ｂとが、一体的に形成されている。第２気水分離室７Ｂは、駆動側円筒状マグネット収納室１７の外周に併設され、かつ、モータ部材２の後述する回転軸２０Ａの軸方向（長手方向）に長く延びる形状としてある。ポンプケーシング３は、図２に示すように、外郭形状を略箱状としてある。第２気水分離室７Ｂの内壁には、気水分離板７Ｂ−１が設けられている。
【００２１】
モータ部材２は、図１及び図３に示すように、円筒状のモータケース１９と、このモータケース１９内に収納支持されたモータ本体２０と、モータケース１９の後述するモータ本体挿入開口１９Ｂに装着した合成樹脂製のモータキャップ２１と、モータケース１９の外周に一体的に設けられた複数個の取り付け片２２を有する構成としてある。モータ部材２は、モータケース１９の一部を駆動側円筒状マグネット収納室１７内に挿入した状態で、取り付け片２２をポンプケーシング３の反ポンプカバー側外壁面３Ｃに固定することにより、ポンプケーシング３に取り付けられる。本実施形態例では、モータケース１９の約半分を、駆動側円筒状マグネット収納室１７内に挿入するようにしている。モータケース１９及び複数個の取り付け片２２は、合成樹脂によって、一体成形される。
【００２２】
モータ部材２のモータケース１９は、モータ本体２０が挿入される有底筒状のモータ挿入円筒部１９Ａと、このモータ挿入円筒部１９Ａにモータ本体２０を挿入するためのモータ本体挿入開口１９Ｂと、モータ本体２０の回転軸２０Ａをポンプケーシング３の駆動側円筒状マグネット収納室１７内に位置させるための貫通孔１９Ｃとからなっている。モータ部材２のモータケース１９は、取り付け片２２の取り付け穴２２Ａに嵌合させた螺子２３を、ポンプケーシング３に設けた螺子穴３Ｄに螺着させることにより、ポンプケーシング３に固定される。本実施形態例では、図３に示すように、モータケース１９の外円周上に３個の取り付け片２２が設けられている。
【００２３】
モータ部材２のモータ本体２０は、外郭形状を円筒状とした小形のブラシレスモータとしてある。モータ本体２０は、２８Ｖ以下のＤＣ電圧で約７０００ｒ／分の回転数が得られるように設定されている。ポンプランナー１０の最外径は、約２６ｍｍに設定されている。ポンプケーシング３の円筒状凹部３Ｂの隔壁部分の厚さは、約１ｍｍとしてある。
【００２４】
モータケース１９のモータ本体挿入開口１９Ｂには、図１に示すように、モータ本体２０の軸方向のがたつきを押さえるモータパッキング２４を介してモータキャップ２１が装着されている。モータケース１９のモータ本体挿入開口１９Ｂとモータキャップ２１との間からは、モータ本体２０に接続されたリード線からなる電気的接続体２５が、モータケース１９の外方に引き出される。なお、電気的接続体２５は、接続端子とするようにすることも可能である。
【００２５】
ポンプカバー４は、ポンプランナー１０を回転させることでポンプカバー４に水を吸込ませるための吸水口１１と、ポンプランナー１０を回転させることで吸込み室５内及びポンプランナー収納室６内の水を吐出させるための吐出口１２と、吸込み室５内及びポンプランナー収納室６内に呼び水を注入するための呼び水口１３と、吸込み室５から前記吸水口１１側への逆流を阻止するところの後述する逆流防止弁１４の封止弁座４Ａと、後述する逆流防止弁１４の取り付け片部１４Ｂが嵌合する取り付け凹部４Ｂと、仕切り板８をポンプカバー４内壁に取り付けるための棒状の係止突起体４Ｃと、ポンプカバー４内壁に設けられてパッキングなどの弾性封止部材２６を介して仕切り板８に設けた凹み８Ｇに押圧されるループ状の凸状リブ４Ｄと、支持軸９の他端側９Ｂが嵌合する筒状凹部４Ｅと、ポンプケーシング３のポンプカバー側端縁全周に形成された取り付けフランジ３Ｅに水密的に取り付けられる取り付けフランジ４Ｆが、合成樹脂で一体成形されている。吸水口１１から封止弁座４Ａまでの水通路部４Ｇの破断面（切断端面）形状は、横長楕円状としてある。封止弁座４Ａは、水通路部４Ｇの破断面（切断端面）形状に合わせて横長楕円状としてある。封止弁座４Ａは、その封止弁座４Ａの横長方向が、モータ部材２の回転軸２０Ａの軸方向（長手方向）に対して直角方向であって水平に延びるように配設されている（図１、図２、図５及び図６を参照）。
【００２６】
ポンプカバー４の上面部分には、図２に示すように、吸水口１１、吐出口１２及び呼び水口１３が配設されている。ポンプカバー４の吐出口１２及び呼び水口１３は、図２に示すように、水平方向（モータ本体２０の回転軸２０Ａに軸方向と水平の方向）に延在させるように形成されている。ポンプカバー４の上面に形成された吸水口１１には、その開口端に円筒状の取り付けフランジ１１Ａが形成されている。ポンプカバー４の吸水口１１には、図１の一点鎖線で示すように、取り付けフランジ１１Ａを利用して、揚水用の可撓性のある吸水ホース２７が着脱可能に取り付けられる。吸水ホース２７の自由端側は、浴槽（図示せず）内に投入されている。ポンプカバー４内の吸水口１１の内方には、図１に示すように、風呂水に含まれている細塵を除去するフイルター２８が着脱自在に設けられている。ポンプカバー４側内の仕切り体８外周に形成される第1気水分離室７Ａには、図５及び図６に示すように、複数個の気水分離板７Ａ−１が設けられている。
【００２７】
仕切り体８は、封止弁座４Ａに対向する位置に形成された逆流防止弁１４の開閉ストローク確保用の袋部８Ａと、この袋部８Ａの内壁に設けた２個の封止ばね受け凹部８Ｂと、ポンプケーシング３の対向外壁に圧接する渦巻き壁８Ｃと、ポンプカバー４内壁に設けた係止突起体４Ｃに係合することで仕切り板８をポンプカバー４内壁に取り付けるための嵌合突起溝部８Ｄと、後述する逆流防止弁１４の取り付け片部１４Ｂをポンプカバー４の取り付け凹部４Ｂに押圧するための押圧リブ８Ｅと、ポンプランナー１０の中央開口１０Ａに対向する位置に形成された略ベルマウス状の流入開口８Ｆと、ポンプカバー４内壁に設けた凸状リブ４Ｄが弾性封止部材２６を介して押圧されるループ状の凹み８Ｇが、合成樹脂で一体成形されている（図１、図７〜図１０を参照）。
【００２８】
仕切り体８の袋部８Ａ及び渦巻き壁８Ｃは、図1に示すように、逆流防止弁１４及びポンプカバー４に形成された封止弁座４Ａが、仕切り体８の流入開口８Ｆと吸込み室５との境界部位から外周方向へ延びる延長線近傍であって、かつ、ポンプランナー収納室６内の外周に配置されるように、形成されている。仕切り体８の袋部８Ａの内壁に設けた２個の封止ばね受け凹部８Ｂ内には、図9及び図１０に示すように、それぞれ十字状の傾斜突起８Ｂ−１が形成されている。後述する封止ばね２９の一端を逆流防止弁１４の筒状突起部１４Ｃに嵌合させ、かつ、その封止ばね２９の他端を仕切り体８の封止ばね受け凹部８Ｂに嵌合させた状態では、図１に示すように、一直線状に均等に圧縮されるべく、傾斜突起８Ｂ−１の上面と筒状突起部１４Ｃの内底面が略平行となるように設定されている。
【００２９】
逆流防止弁１４は、ゴム製であって、図１１及び図１２に示すように、横長楕円状の弁体部１４Ａと、この弁体部１４Ａに上部に一体的に形成された取り付け片部１４Ｂと、弁体部１４Ａの反封止弁座側の面に一体的に形成された２個の筒状突起部１４Ｃとからなっている。仕切り体８と逆流防止弁１４との間には、その逆流防止弁１４をポンプカバー４内に形成された封止弁座４Ａに押し付ける２個の封止ばね２９が設けられている。封止ばね２９は、ポンプランナー１０の回転時にそのポンプランナー１０の回転により発生した負圧によって逆流防止弁１４の弁体部１４Ａが封止弁座４Ａから離れることで逆流防止弁１４が開いた状態となり、かつ、ポンプランナー１０の停止時に逆流防止弁１４の弁体部１４Ａが封止弁座４Ａに押し付けられることで逆流防止弁１４が閉じた状態にする押圧力を、逆流防止弁１４に働かせる機能を有している。封止ばね２９は、コイル状であって、その封止ばね２９の一端側を逆流防止弁１４の筒状突起部１４Ｃに、かつ、封止ばね２９の他端側を仕切り体８の封止ばね受け凹部８Ｂ内に装着した状態で、仕切り体８の上端に設けた嵌合突起溝部８Ｄを、ポンプカバー４の内壁に設けた係止突起体４Ｃに一体化することによって、仕切り体８をポンプカバー４の内壁に取り付けることにより、仕切り体８と逆流防止弁１４との間に保持される（図1参照）。なお、逆流防止弁１４は、その逆流防止弁１４の横長方向が、モータ部材２の回転軸２０Ａの軸方向（長手方向）に対して直角方向であって水平に延びるように配設されている。
【００３０】
ポンプカバー４と仕切り体８とは、図１に示すように、ポンプカバー４内壁に設けた凸状リブ４Ｄに、仕切り体８の側壁に設けた凹み８Ｇを、弾性封止部材２６を介して押圧させることによって、水密的に保持される。ポンプケーシング３とポンプカバー４は、ポンプケーシング３の取り付けフランジ３Ｅの端面全周に設けた溶着用リブ３Ｆを、ポンプカバー４の取り付けフランジ４Ｆの端面全周に設けた溶着用溝４Ｈに嵌合した後、その溶着用溝４Ｈの全周に予め挿入したステンレス線４９に電気を流すことで溶着用リブ３Ｆを溶着用溝４Ｈ内で熱溶着させることにより、一体的に取り付けられる（図１、図４及び図５を参照）。なお、ポンプケーシング３の取り付けフランジ３Ｅとポンプカバー４の取り付けフランジ４Ｆとを、リング状のパッキング部材を介して複数個の螺子で締結することにより、若しくは超音波溶着により、ポンプケーシング３とポンプカバー４は一体化されるようにしてもよい。
【００３１】
ポンプランナー収納室６は、ポンプケーシング３の外壁に設けた渦巻き状嵌合溝３Ｇと、この渦巻き状嵌合溝３Ｇに圧入されるところの仕切り体８に形成した渦巻き壁８Ｃとによって、形成される。ポンプランナー収納室６には、図１に示すように、モータ本体の回転軸の長手方向と同方向に延びる支持軸９によってポンプランナー１０が回転可能に設けられている。支持軸９は、一端側であるDカット形状部９Ａをポンプケーシング３の外壁に設けたＤカット状嵌合穴３Ｈに挿入し、かつ、他端側９Ｂ（Dカット形状部を形成しない側）を、仕切り体８の流入開口８Ｆを通してポンプカバー４の内壁に設けた筒状凹部４Ｅに挿入した後、ポンプケーシング３とポンプカバー４を水密的に一体保持された状態にすることにより、ポンプケーシング３とポンプカバー４との間に回動不可の状態で挟持固定される（図1及び図４参照）。ポンプケーシング３には、Ｄカット状嵌合穴３Ｈを形成するために、そのポンプケーシング３の駆動側円筒状マグネット収納室側に向って突出させた突出円筒部３Ｊが形成されている。この突出円筒部３Ｊは、図１に示すように、モータ本体２０の回転軸２０Ａと対向するように配設されている。Ｄカット状嵌合穴３Ｈは、突出円筒部３Ｊの中央部に形成されている。
【００３２】
ポンプランナー１０の軸体１０Ｂの中心に圧入されるカーボン製の軸受３０は、図１４に示すように、支持軸９に嵌合する中空円筒部３０Ａと、この中空円筒部３０Ａに端縁に形成した円形状鍔部３０Ｂとから構成される。支持軸９には、図１に示すように、ポンプケーシング３の対向外壁とポンプランナー１０の軸体１０Ｂとの間に位置して軸受３０の円形状鍔部３０Ｂに摺接する中空円筒形状のセラミック体３１が嵌合されている。ポンプケーシング３の外壁に設けＤカット状嵌合穴３Ｈの内周縁には、セラミック体３１を嵌合装着するためのＤカット状嵌合部３Ｋが形成されている（図1及び図４参照）。セラミック体３１には、図１３に示すように、Ｄカット状嵌合穴３Ｈの内周縁に設けたＤカット状嵌合部３Ｋに嵌るＤカット状部３１Ａが一面側に形成されている。セラミック体３１は、Ｄカット状部３１ＡをＤカット状嵌合部３Ｋに嵌合させることにより、ポンプランナー１０と一緒に回転することが阻止される。
【００３３】
支持軸９には、ポンプランナー１０のスラスト方向のがたつき調整用のワッシャー３２が挿入されている。支持軸９には、ワッシャー３２の抜け止めを行うＥリング３３を取り付けるための切り溝部が設けられている。支持軸９にポンプランナー１０を回転自在に取り付けられた状態では、支持軸９に取り付けたＥリング３３及び少なくとも２枚以上のワッシャー３２により、ポンプランナー１０のスラスト方向のがたつきが、最大１ｍｍとなるようにし、本実施形態例では、約０．３ｍｍとなるように設定されている。また、ポンプランナー１０の中心に圧入された軸受３０の内径と、支持軸９の外周径とのクリアランスは、最大０．２ｍｍとなるように設定されている。
【００３４】
従動側円筒状マグネット体１５は、図１４に示すように、ポンプランナー１０の側面に一体的に設けられた合成樹脂製の円筒状取り付け部材３４と、この円筒状取り付け部材３４の外周壁に嵌めた等方性若しくは異方性のフェライトからなる円筒状の従動側円筒状マグネット３５とからなり、円筒状取り付け部材３４に複数個の弾性爪部３４Ａを、かつ、従動側円筒状マグネット３５に複数個の係止凹部３５Ａを、それぞれ形成して、弾性爪部３４Ａを係止凹部３５Ａに係止させることで、従動側円筒状マグネット３５を円筒状取り付け部材３４の外周壁に取り付けられる構成にしてある。従動側円筒状マグネット３５は、弾性爪部３４Ａによって、円筒状取り付け部材３４の周方向及び左右方向に移動することがないように、円筒状取り付け部材３４に取り付けられる。弾性爪部３４Ａは、円筒状取り付け部材３４にスリットを入れることによって形成される。
【００３５】
円筒状取り付け部材３４と従動側円筒状マグネット３５は、従動側円筒状マグネット３５の内周を円筒状取り付け部材３４の外周に嵌め込ませて弾性爪部３４Ａを内方に撓ませた状態とした後、その弾性爪部３４Ａが従動側円筒状マグネット３５の係止凹部３５Ａに達するまで、従動側円筒状マグネット３５を円筒状取り付け部材３４に押し込むと、弾性爪部３４Ａが外方に広がって係止凹部３５Ａに係止することで、取り付けられる。なお、円筒状取り付け部材３４の外側と従動側円筒状マグネット３５の内側の間を、接着剤により、補強固着するようにしてもよい。
【００３６】
駆動側円筒状マグネット体１６は、図１５に示すように、合成樹脂製の円筒容器状収納ケース３６と、この円筒容器状収納ケースの底中央部に形成されてモータ本体の回転軸に圧入固定される合成樹脂製の中空ボス部３７と、この中空ボス部３７の外周に圧入された金属製の抜け止め筒部材３８と、円筒容器状収納ケース３６の内周壁に嵌めた等方性若しくは異方性のフェライトからなる円筒状の駆動側円筒状マグネット３９とからなり、円筒容器状収納ケース３６に複数個の弾性爪部３６Ａを、かつ、駆動側円筒状マグネット３９に複数個の係止凹部３９Ａを、それぞれ形成して、弾性爪部３６Ａを係止凹部３９Ａに係止させることで、駆動側円筒状マグネット３９を円筒容器状収納ケース３６の内周壁に取り付けられる構成にしてある。駆動側円筒状マグネット３９は、弾性爪部３６Ａによって、円筒容器状収納ケース３６の周方向及び左右方向に移動することがないように、円筒容器状収納ケース３６に取り付けられる。弾性爪部３６Ａは、円筒容器状収納ケース３６にスリットを入れることによって形成される。
【００３７】
円筒容器状収納ケース３６と駆動側円筒状マグネット３９は、円筒容器状収納ケース３６の内周を駆動側円筒状マグネット３９の外周に嵌め込ませて弾性爪部３６Ａを外方に撓ませた状態とした後、その弾性爪部３６Ａが駆動側円筒状マグネット３９の係止凹部３９Ａに達するまで、円筒容器状収納ケース３６を駆動側円筒状マグネット３９に押し込むと、弾性爪部３６Ａが内方に縮まって係止凹部３９Ａに係止することで、取り付けられる。円筒容器状収納ケース３６には、弾性爪部３６Ａの型抜きが容易に行えるようにするための、型抜き孔３６Ｂが形成されている。なお、円筒容器状収納ケース３６の内側と駆動側円筒状マグネット３９の外側の間を、接着剤により、補強固着するようにしてもよい。
【００３８】
モータ本体２０の回転軸２０Ａに固定された駆動側円筒状マグネット体１６が、ポンプケーシング３の円筒状凹部３Ｂの外方に配設された状態では、その駆動側円筒状マグネット体１６の駆動側円筒状マグネット３９の内周面と円筒状凹部３Ｂの外周面との間に隙間が保持されるように、駆動側円筒状マグネット体１６及び円筒状凹部３Ｂの大きさが設定されている。駆動側円筒状マグネット１６の内周面と円筒状凹部３Ｂの外周面との間の隙間は、最大１ｍｍとし、本実施形態例では、約０．５ｍｍとしてある。
【００３９】
支持軸９にポンプランナー１０が取り付けられ、かつ、従動側円筒状マグネット体１５がポンプケーシング３の円筒状凹部３Ｂの内方に配設された状態では、その従動側円筒状マグネット体１５の従動側円筒状マグネット３５の外周面と円筒状凹部３Ｂの内周面との間に隙間が保持されるように、従動側円筒状マグネット体１５及び円筒状凹部３Ｂの大きさが設定されている。従動側円筒状マグネット３５の外周面と円筒状凹部３Ｂの内周面との間の隙間は、最大１ｍｍとし、本実施形態例では、約０．５ｍｍとしてある。支持軸９の一端側であるDカット形状部９Ａ側は、円筒状凹部３Ｂ内の中央部に位置するＤカット状嵌合穴３Ｈに嵌合されている。支持軸９の他端側９Ｂは、仕切り体８の流入開口８Ｆを通してポンプカバー４の内壁に形成した筒状凹部４Ｅに嵌合されている。
【００４０】
駆動側円筒状マグネット３９と従動側円筒状マグネット３５は、モータ部材２におけるモータ本体２０の回転軸２０Ａに駆動側円筒状マグネット体１６が取り付けられた状態でその駆動側円筒状マグネット体１６は、ポンプケーシング３の反ポンプカバー側に設けた挿入開口３Ａから駆動側円筒状マグネット収納室１７に挿入することによりその駆動側円筒状マグネット体１６の駆動側円筒状マグネット３９をポンプケーシング３の円筒状凹部３Ｂの外周に配設させ、かつ、その円筒状凹部３Ｂ内に従動側円筒状マグネット体１５の従動側円筒状マグネット３５を配設させることで、ポンプケーシング３の外壁を介して同心円筒状に対向させることにより、磁気結合させる。
【００４１】
上記実施形態の洗濯機用自吸式ポンプ装置１を使用する場合には、始めに、吸水ホース２７をポンプカバー４の吸水口１１に装着した後、呼び水口１３から仕切り体８によって仕切られる吸込み室５及びポンプランナー収納室６並びに気水分離室７に、呼び水Ｗを注入する。
【００４２】
次いで、洗濯機用自吸式ポンプ装置１の内部に、呼び水Ｗが注入された状態で、モータ本体２０を回転させて、モータ本体２０の回転軸２０Ａに設けた駆動側円筒状マグネット体１６を回転させると、ポンプランナー１０と一体に設けた従動側円筒状マグネット体１５が、駆動側円筒状マグネット体１６の駆動側円筒状マグネット３９の磁力で吸引されて同期回転するため、ポンプランナー１０が高速で回転して、ポンプランナー１０の中心は負圧となる。なお、この場合、支持軸９は、一端側であるDカット形状部９Ａがポンプケーシング３の外壁に設けたＤカット状嵌合穴３Ｈに挿入されているので、回転することがないとともに、セラミック体３１の軸受３０に接触する面側には、Ｄカット状部３１Ａが形成されていないので、カーボン製の軸受３０の損傷が抑えられる。
【００４３】
そして、ポンプランナー１０の中心が負圧になると、この負圧に引かれて吸水ホース２７内の空気が、ポンプランナー１０側に吸込まれて、呼び水Ｗと気水混合された状態となり、ポンプランナー収納室６を高速で通過し、気水分離室７へと導かれる。この場合、ポンプランナー収納室６の狭い空間を高速で通過した空気を含んだ呼び水Ｗは、広い空間の気水分離室７に導かれて流速が低下する。そのため、呼び水Ｗに混合された空気は、その呼び水Ｗから分離してポンプカバー４の吐出口１２及び呼び水口１３から排出される。そして、吸水ホース２７内の空気が完全に排出されると、ポンプカバー４の吸水口１１より揚水された水が、吸込み室５を介してポンプランナー収納室６から気水分離室７に流入して、吐出口１２及び呼び水口１３から、所定の流量で吐出されるようになる。
【００４４】
次に、上記実施形態の洗濯機用自吸式ポンプ装置１の組立方法の手順を、図１７に基づき、説明する。
【００４５】
まず、図１７のステップＳ１に示すように、モータ本体２０をモータケース１９のモータ本体挿入開口１９Ｂからモータケース１９内に挿入して、そのモータ本体２０の回転軸２０Ａがモータケース１９の貫通孔１９Ｃから外方に突出した状態となるように、かつ、モータケース１９内でモータ本体２０が回動しないように、モータケース１９内にモータ本体２０を固定する。この場合、複数個の小螺子（図示せず）でモータケース１９にモータ本体２０を取り付けるようにしてもよい。
【００４６】
次いで、図１７のステップＳ２に示すように、モータケース１９の貫通孔１９Ｃから外方に突出した回転軸２０Ａを上に向けた状態で、その回転軸２０Ａに駆動側円筒状マグネット体１６を構成する中空ボス部３７を圧入固定することにより、モータ部材２に駆動側円筒状マグネット体１６が取り付けられる。その後、図１７のステップＳ３に示すように、モータパッキング２４及びモータキャップ２１を、モータケース１９のモータ本体挿入開口１９Ｂに、かつ、電気的接続体２５がモータケース１９の外に引き出されるように、装着することによって、モータ部材２及び駆動側円筒状マグネット体１６の組立作業を完了させる。なお、この場合、モータ本体２０の回転軸２０Ａに駆動側円筒状マグネット体１６の中空ボス部３７を圧入した場合に、その中空ボス部３７が金属製の抜け止め筒部材３８によって広がることがないので、モータ本体２０の回転軸２０Ａと中空ボス部３７との固定が円滑に行われる。
【００４７】
次いで、図１７のステップＳ４に示すように、モータ部材２に取り付けられた駆動側円筒状マグネット体１６を、ポンプケーシング３の駆動側円筒状マグネット収納室１７に、ポンプケーシング３の挿入開口３Ａから挿入して、駆動側円筒状マグネット体１６の駆動側円筒状マグネット３９をポンプケーシング３の円筒状凹部３Ｂの外周方向に配設させる。この状態では、図１７のステップＳ５に示すように、モータケース１９の略半分が駆動側円筒状マグネット収納室１７に挿入されて、モータケース１９の外周に設けられた複数個の取り付け片２２を、ポンプケーシング３の反ポンプカバー側外壁面３Ｃに当接させて、その取り付け片２２を螺子２３でポンプケーシング３の反ポンプカバー側外壁面３Ｃに固定することにより、ポンプケーシング３にモータ部材２が取り付けられる。
【００４８】
次いで、図１７のステップＳ６に示すように、セラミック体３１のＤカット状部３１Ａを、ポンプケーシング３の外壁に設けたＤカット状嵌合穴３Ｈに形成したＤカット状嵌合部３Ｋに嵌合させた後、予め、ポンプランナー１０、ワッシャー３２及びＥリング３３を装着した支持軸９のDカット形状部９Ａ側を、セラミック体３１の中央挿入孔３１Ｂを通してポンプケーシング３のＤカット状嵌合穴３Ｈに嵌合させることによって、従動側円筒状マグネット体１５の従動側円筒状マグネット３４を、ポンプケーシング３のポンプランナー収納室６に対向する対向壁面に設けた円筒状凹部３Ｂ内に配設される。これにより、従動側円筒状マグネット３５が駆動側円筒状マグネット３９と対向した状態となり、かつ、セラミック体３１に軸受３０が摺接するように、ポンプランナー１０が支持軸９に回転自在に支持される。この場合、駆動側円筒状マグネット３９と従動側円筒状マグネット３５との間の磁気吸引作用により、従動側円筒状マグネット体１５が従動側円筒状マグネット収納室１８（円筒状凹部３Ｂ）内に収納された状態が維持されるので、ポンプケーシング３の外壁側にポンプランナー１０が取り付けられた状態が維持される。
【００４９】
次いで、図１７のステップＳ７に示すように、ポンプカバー４の取り付け凹部４Ｂに逆流防止弁１４の取り付け片部１４Ｂを圧入した後、その逆流防止弁１４における弁体部１４Ａの筒状突起部１４Ｃと仕切り体８の封止ばね受け凹部８Ｂとに封止ばね２９を装着した状態で、ポンプカバー４の内壁に設けた凸状リブ４Ｄに、弾性封止部材２６を介して仕切り体８の側壁に設けた凹み８Ｇを押圧させ、その後、ポンプカバー４の内壁に設けた円柱状の係止突起体４Ｃに、仕切り体８の上端側に設けた嵌合突起溝部８Ｄを挿入した状態で、その係止突起体４Ｃを嵌合突起溝部８Ｄにカシメ若しくは溶着させることにより、ポンプカバー４の内壁側に仕切り体８を一体的に取り付ける。
【００５０】
次いで、図１７のステップＳ８に示すように、支持軸９の他端側９Ｂを、仕切り体８の流入開口８Ｆを通してポンプカバー４の筒状凹部４Ｅに嵌合させつつ、ポンプケーシング３の外壁に設けた渦巻き状嵌合溝３Ｇに、仕切り体８に形成した渦巻き壁８Ｃを嵌合されることで、ポンプランナー収納室６を形成する。なお、この場合、支持軸９を仕切り体８の流入開口８Ｆを通してポンプカバー４の筒状凹部４Ｅに嵌合させる作業は、支持軸９のDカット形状が形成されていない他端側９Ｂを筒状凹部４Ｅに嵌めるようにしたので、その作業を円滑に行うことができる。
【００５１】
最後に、図１７のステップＳ９に示すように、ポンプケーシング３の取り付けフランジ３Ｅとポンプカバー４の取り付けフランジ４Ｆを、そのポンプカバー４の溶着用溝４Ｈの全周に予め挿入したステンレス線４９に電気を通電することによって熱溶着させる若しくはリング状のパッキング部材を介して複数本の螺子で締結させることで、ポンプケーシング３とポンプカバー４が水密的に一体化されることにより、洗濯機用自吸式ポンプ装置１の組立作業が終了する。なお、上記実施形態の組立方法における図１７のステップＳ７に示す工程、すなわち、ポンプカバー４の内壁側に仕切り体８を一体的に取り付ける工程は、
図１７のステップＳ1〜Ｓ６に示す工程の実施前に、実施するようにしてよい。
【００５２】
上記実施形態の洗濯機用自吸式ポンプ装置１の組立方法によれば、一つとしては、駆動側円筒状マグネット３９をポンプケーシング３の円筒状凹部３Ｂの外周方向に配設させた状態で、円筒状凹部３Ｂ内に従動側円筒状マグネット３５が配設されるので、その従動側円筒状マグネット３５と駆動側円筒状マグネット３６が吸引し合うため、円筒状凹部３Ｂ内（従動側円筒状マグネット収納室１８）への従動側円筒状マグネット体１５の装着作業が円滑に行われる。二つとしては、モータケース１９の貫通孔１９Ｃから外方に突出した回転軸２０Ａに駆動側円筒状マグネット体１６を構成する中空ボス部３７を圧入固定することにより、モータ部材２に駆動側円筒状マグネット体１６を取り付けるようにしたので、駆動側円筒状マグネット３９の内周面と円筒状凹部３Ｂの外周面との間の隙間を所定寸法に、精度良く出すことができる。三つとしては、ポンプカバー４の内壁に取り付けられた仕切り体８によって封止ばね２９が、ポンプカバー４と仕切り体８との間に挟持された状態が維持されているので、ポンプケーシング３とポンプカバー４を一体化させる作業が円滑に行われる。四つとして、モータ部材２を一体化したポンプケーシング３の円筒状凹部３Ｂが上に向くように、ポンプケーシング３をセットした状態とすることにより、セラミック体３１、ポンプランナー１０、ポンプカバー４の順で、ポンプケーシング３上に組み上げることができるなどの理由で、すべての部品の組立作業を、流れ作業で円滑に難なく行うことができ、洗濯機用自吸式ポンプ装置１の生産性を向上させることができる。
【００５３】
さらに、上記実施形態の洗濯機用自吸式ポンプ装置１によれば、モータ本体２０を回転させると、ポンプケーシング３の駆動側円筒状マグネット収納室１７内で、駆動側円筒状マグネット体１６の駆動側円筒状マグネット３９が高速回転する。駆動側円筒状マグネット体１６の駆動側円筒状マグネット３９が高速回転すると、従動側円筒状マグネット体１５を設けたポンプランナー１０が高速回転して、吸水口１１からポンプカバー４内に揚水した水を吐出口１２から効率よく吐出させることができる。この場合、ポンプカバー４内の水が、ポンプケーシング３の外壁により遮断されて、駆動側円筒状マグネット収納室１７側に浸入することがないので、モータ本体２０及びモータ本体２０の周りの電気部品を水で濡らすことがないとともに、吸水口１１からポンプカバー４内に揚水した水がポンプケーシング３及びポンプカバー４から外部に流出して、洗濯機用自吸式ポンプ装置１の周囲に一緒に設置されている電気部品を濡らしてしまうようなことがなくなるので、安全性が高く、かつ、長寿命化が図られる。しかも、上記洗濯機用自吸式ポンプ装置１によれば、駆動側円筒状マグネット３９と従動側円筒状マグネット３５を磁気結合させる構造であっても、縦寸法約１２０ｍｍ×横寸法約５６ｍｍ×高さ約９１ｍｍという小形化された外郭形状とすることが可能であり、かつ、小形化されても、揚程約１．２ｍのときに、吐出流量１０リットル／分というポンプ性能が得られる。また、上記洗濯機用自吸式ポンプ装置１によれば、全体重量を、３３０ｋｇ以下にすることができる。
【００５４】
さらに、上記実施形態の洗濯機用自吸式ポンプ装置１によれば、ポンプランナー１０の中心に圧入された軸受３０の内径と支持軸９の外周径とのクリアランスが０．２ｍｍ以内に、しかも、支持軸９に設けた切り溝部に設けたＥリング３３と、少なくとも２枚以上のワッシャー３２とにより、ポンプランナー１０のスラスト方向のがたつきが、１ｍｍ以内に抑えられるため、支持軸９に対するポンプランナー１０の回転振れが抑えられるので、ポンプランナー１０を円滑に回転させることができるとともに、従動側円筒状マグネット３５がポンプケーシング３の円筒状凹部３Ｂの内周壁に接触することが阻止される。
【００５５】
さらに、上記実施形態の洗濯機用自吸式ポンプ装置１によれば、ポンプケーシング３の外壁に設けたＤカット状嵌合穴３Ｈに中空円筒形状のセラミック体３１を装着して、このセラミック体３１に、カーボン製の軸受３０の円形状鍔部３０Ｂを摺接させるようにしたので、支持軸９及びセラミック体３１が、ポンプランナー１０及び従動側円筒状マグネット体１５と一緒に回転することがなく、ポンプランナー１０を円滑に回転させることができる。
【００５６】
さらに、上記実施形態の洗濯機用自吸式ポンプ装置１によれば、ポンプケーシング３の挿入開口３Ａからモータ部材２の回転軸２０Ａに取り付けられた駆動側円筒状マグネット体１６を、挿入するようにしたので、モータ部材２のモータケース１９が駆動側円筒状マグネット収納室１７の内壁に案内されるため、駆動側円筒状マグネット体１６の駆動側円筒状マグネット３９を円筒状凹部３Ｂに衝突させることなく、その駆動側円筒状マグネット３９を円筒状凹部３Ｂの外方に、円滑に配設させることができ、組立性が優れている。
【００５７】
さらに、上記実施形態の洗濯機用自吸式ポンプ装置１によれば、支持軸９の一端側を、ポンプケーシング３の外壁に設けたＤカット状嵌合穴３Ｈに挿入し、かつ、支持軸９の他端側を、仕切り体８の流入開口８Ｆを通しポンプカバー４の内壁面に設けた筒状凹部４Ｅに挿入した後、ポンプケーシング３とポンプカバー４を水密的に一体保持された状態にすることにより、ポンプケーシング３とポンプカバー４との間に挟持固定されるようにしたので、支持軸９が、回動することなく、確実に固定される。
【００５８】
さらに、上記実施形態の洗濯機用自吸式ポンプ装置１によれば、モータ本体２０は、円筒状のモータケース１９とモータキャップ２４とに覆われているので、湿気の高い環境中でも使用することができる。また、モータ部材２のモータケース１９の外周は、第２気水分離室７Ｂで覆われるので、その第２気水分離室７Ｂの水によってモータ本体２０の温度上昇が抑えられる。また、モータケース１９の一部を駆動側円筒状マグネット収納室１７内に挿入した状態で、取り付け片２２をポンプケーシング３の反ポンプカバー側外壁面３Ｃに締結すればよく、モータ部材２のポンプケーシング３への取り付け作業が容易に行える。
【００５９】
さらに、上記実施形態の洗濯機用自吸式ポンプ装置１によれば、駆動側円筒状マグネット収納室１７内にポンプランナー収納室６からの水が浸入することがないので、駆動側円筒状マグネット収納室１７に水抜き孔を設ける必要がなくなり、ポンプケーシング３の成形が簡単となり、製作性が向上する。また、上記実施形態の洗濯機用自吸式ポンプ装置１によれば、逆流防止弁１４、封止弁座４Ａ及び水通路部４Ｇの形状を、横長楕円状とするとともに、逆流防止弁１４及び封止弁座４Ａが、仕切り体８の流入開口８Ｆと吸込み室５との境界部位から外周方向へ延びる延長線近傍であって、かつ、ポンプランナー収納室６内の外周に配置されるようにしたので、支持軸９の長手方向の長さ及び洗濯機用自吸式ポンプ装置１全体の縦寸法（回転軸２０Ａの長手方向の洗濯機用自吸式ポンプ装置１の寸法）を小さくすることができる。
【００６０】
さらに、上記実施形態の洗濯機用自吸式ポンプ装置１によれば、駆動側円筒状マグネット体１６は、円筒容器状収納ケース３６と、この円筒容器状収納ケース３６の底中央部に形成されてモータ本体２０の回転軸２０Ａに圧入固定される中空ボス部３７と、円筒容器状収納ケース３６の内周壁に嵌めた駆動側円筒状マグネット３９とからなり、円筒容器状収納ケース３６に複数個の弾性爪部３６Ａを、かつ、駆動側円筒状マグネット３９に複数個の係止凹部３９Ａを、それぞれ形成して、弾性爪部３６Ａを係止凹部３９Ａに係止させることによって、駆動側円筒状マグネット３９を円筒容器状収納ケース３６の内周壁に、周方向への回動及び軸方向への移動が行われることなく、取り付けるようにしたので、駆動側円筒状マグネット３９の円筒容器状収納ケース３６への取り付け作業が容易に行える。また、円筒容器状収納ケース３６内に駆動側円筒状マグネット３９を埋設させる構造としていないので、駆動側円筒状マグネット体１６の低コスト化を図ることができる。
【００６１】
さらに、上記実施形態の洗濯機用自吸式ポンプ装置１によれば、従動側円筒状マグネット体１５は、ポンプランナー１０の側面に設けられた円筒状取り付け部材３４と、この円筒状取り付け部材３４の外周壁に嵌めた従動側円筒状マグネット３５とからなり、円筒状取り付け部材３４に複数個の弾性爪部３４Ａを、かつ、従動側円筒状マグネット３５に複数個の係止凹部３５Ａを、それぞれ形成して、弾性爪部３４Ａを係止凹部３５Ａに係止させることによって、従動側円筒状マグネット３５を円筒状取り付け部材３４の外周壁に、周方向への回動及び軸方向への移動が行われることなく、取り付けるようにしたので、従動側円筒状マグネット３５の円筒状取り付け部材３４への取り付け作業が容易に行える。また、円筒状取り付け部材３４内に従動側円筒状マグネット３５を埋設させる構造としていないので、従動側円筒状マグネット体１５の低コスト化を図ることができる。
【００６２】
さらに、上記実施形態の洗濯機用自吸式ポンプ装置１のポンプカバー４及び仕切り体８によれば、特許文献１に記載された洗濯機用自吸式ポンプ装置のような軸封装置（シール装置）によりポンプランナー収納室内の水がモータ本体側に漏れないようにした構造のポンプカバー及び仕切り体にも兼用することができるので、便利である。
【００６３】
さらに、上記実施形態の洗濯機用自吸式ポンプ装置１によれば、封止ばね受け凹部８Ｂ内に設けた傾斜突起８Ｂ−１の上面と逆流防止弁１４における筒状突起部１４Ｃの内底面が略平行となるように設定されているとともに、逆流防止弁１４が開閉する際、逆流防止弁１４が横長楕円状であっても、２個（複数個）の封止ばね２９によって、逆流防止弁１４の弁体部１４Ａをポンプカバーの封止弁座４Ａに押し付けるようにしたので、その封止弁座４Ａ全体に弁体部１４Ａが略均一に強く押し付けられるため、吸込み室５から吸水口１１側への水の逆流を確実に阻止することができる。また、上記実施形態の洗濯機用自吸式ポンプ装置１によれば、ポンプケーシング３の外壁に設けた渦巻き状嵌合溝３Ｇに仕切り体８に形成した渦巻き壁８Ｃが圧入するようにしているので、渦巻き状嵌合溝３Ｇと渦巻き壁８Ｃとの間から気水分離室７内の水が、ポンプランナー収納室６内に逆流することを簡単に阻止できる。
【００６４】
次に、洗濯機用自吸式ポンプ装置１を洗濯機に設置した実施形態を、図１６に基づき説明する。
【００６５】
図１６に示す洗濯機４０は、洗濯槽を収納する外枠の上部に設けられたトッカバー４１と、このトッカバー４１に形成された収納空間部４２と、この収納空間部４２の上部を覆う上部カバー４３と、上部カバー４３に設けられて水道蛇口を接続するための水道栓口４４と、この水道栓口４４に接続した給水電磁弁４５と、この給水電磁弁４５から流出してきた水道水を洗濯槽内に導く水道水案内部材４６と、風呂水からなる洗濯利用水を洗濯槽内に給水するための上述した洗濯機用自吸式ポンプ装置１とを、少なくとも備えている。
【００６６】
トッカバー４１に形成された収納空間部４２には、図１６に示すように、水道水案内部材４６を挟んで、左右に、給水電磁弁４５と洗濯機用自吸式ポンプ装置１が設置されている。水道水案内部材４６は、仕切り壁４６Ａによって第１部屋４６Ａ−１と第２部屋４６Ａ−２に仕切られている。水道水案内部材４６の第１部屋４６Ａ−１には、給水電磁弁４５を連通させている。水道水案内部材４６の第１部屋４６Ａ−１には、呼び水用ホース４７により洗濯機用自吸式ポンプ装置１の呼び水口１３を連通させている。水道水案内部材４６の第２部屋４６Ａ−２には、吐出用ホース４８により、洗濯機用自吸式ポンプ装置１の吐出口１２を連通させている。
【００６７】
呼び水用ホース４７は、一端を水道水案内部材４６の第１部屋４６Ａ−１側に設けた取り出し口４６Ｂに接着固定し、かつ、他端を呼び水口１３に接着固定してある。吐出用ホース４８は、一端を水道水案内部材４６の第２部屋４６Ａ−２側に設けた流出口４６Ｃに接着固定し、かつ、他端を吐出口１３に接着固定してある。水道水案内部材４６の第１部屋４６Ａ−１には、給水電磁弁４５から流出してきた水道水の一部が取り出し口４６Ｂから呼び水用ホース４７を介して自吸式吸水ポンプ装置１の呼び水口１３に導くための水道水衝突壁４６Ｄが設けられている。したがって、給水電磁弁４５から流出してきた水道水は、水道水衝突壁４６Ｄに衝突した後、そのほとんどが水道水案内部材４６の第１部屋４６Ａ−１の下方に流出して、洗濯槽内に供給されるとともに、水道水の一部が取り出し口４６Ｂから呼び水用ホース４７側に流出して洗濯機用自吸式ポンプ装置１内に供給される。また、洗濯機用自吸式ポンプ装置１の吐出口１２から吐出用ホース４８を介して流出してきた風呂水などの洗濯利用水は、水道水案内部材４６の第２部屋４６Ａ−２の下方に流出して、洗濯槽内に供給される。
【００６８】
上記洗濯機４０において、風呂水槽に連通させた吸水ホース２７を吸水口１１の入口側に接続した状態で、給水電磁弁４５を作動させると、水道水の一部が呼び水用ホース４７及び呼び水口１３を経由してポンプランナー収納室６及び吸込み室５に、呼び水として給水される。所定量の水道水（呼び水）を給水させた後、モータ本体２０を駆動させてポンプランナー１０を高速回転させると、吸込み室５内が負圧状態になるため、封止ばね２９の押圧力に逆らって逆流防止弁１４の弁体部１４Ａが、ポンプカバー４の封止弁座４Ａから離れる方向に回動し、逆流防止弁１４が開放状態となるので、吸水ホース１７内の空気が吸込み室５を経由してポンプランナー収納室６に流入する。ポンプランナー収納室６に流入した吸水ホース２７内の空気は、ポンプランナー１０によって、水道水（呼び水）と一緒に気水分離室７に吐き出されてその気水分離室７にて水道水（呼び水）と分離されて外部に排出される。したがって、吸水ホース２７内の空気がなくなると、風呂水槽の風呂水が、吸水ホース２７、吸込み室５、ポンプランナー収納室６、気水分離室７、吐出口１２及び吐出用ホース４８を経由して、水道水案内部材４６の第２部屋４６Ａ−２から洗濯機４０の洗濯槽に送水される。
【００６９】
さらに、上記洗濯機４０を、吸水ホース２７を洗濯機用自吸式ポンプ装置１の吸水口１１に接続せず、かつ、ポンプランナー１０を回転させずに、洗濯機用自吸式ポンプ装置１の呼び水口１３及び吐出口１２から呼び水用ホース４７及び吐出用ホース４８を経由して、水道水を洗濯槽に流出させるような使い方をした場合には、水道水が吸込み室５及びポンプランナー収納室６に溜まってきても、封止ばね２９の押圧力により、逆流防止弁１４の弁体部１４Ａがポンプカバー４の封止弁座４Ａに押圧されて、逆流防止弁１４の閉鎖状態が維持される。したがって、このような使い方をしても、洗濯機用自吸式ポンプ装置１の吸込み室５に溜まった水道水は、洗濯機用自吸式ポンプ装置１の吸水口１１内に流れ込むことがなく、洗濯機用自吸式ポンプ装置１の吸水口１１から洗濯機４０のトッカバー４１上に流出することがない。
【００７０】
以上のように、洗濯機４０のトップカバー４１内には、洗濯機用自吸式ポンプ装置１とともに、色々な電気部品が収納されているため、従来のポンプ装置のように磨耗や熱劣化で水漏れに至る可能性のある軸封部材（シール装置）を使用した構造のものでは、非常に危険であったが、本発明による洗濯機用自吸式ポンプ装置１を採用することで、トップカバー４１内への水漏れを防止することが可能になった。よって、本発明の実施形態の洗濯機用自吸式ポンプ装置１を用いた洗濯機４０によれば、風呂水を洗濯槽に給水するようにした構造であっても、トップカバー４１内への水漏れが起因することによる電気的不良等を起こすことなく、信頼性の高い洗濯機を提供することができる。
【００７１】
さらに、上記実施形態の洗濯機用自吸式ポンプ装置１では、逆流防止弁１４と封止ばね２９によって、自動吸水後、ポンプランナー１０の回転を停止させた場合に、吸込み室５水が吸水口１１側に逆流することなく、吸込み室５及びポンプランナー収納室６に水が満たされているので、再度、ポンプランナー１０を回転させると、浴槽（風呂）から洗濯槽への風呂水（洗濯水）の給水を、直ちに行わせることができので、例えば、洗濯作業において、洗濯工程終了後、給水工程を経由してすすぎ工程に移行する場合に、ポンプ自給時間を要することなく、給水開始指令と同時に洗濯槽への風呂水（洗濯水）の給水を行わせることができるため、洗濯作業時間を短縮させることができる。
【００７２】
さらに、上記実施形態の洗濯機用自吸式ポンプ装置１によれば、ポンプランナー１０の回転を停止した状態で、呼び水口１３から気水分離室７、ポンプランナー収納室６及び吸込み室５内に流入させた水道水を、吐出口１２から吐出用ホース４８を介して洗濯槽へ流出させるようにした場合であっても、逆流防止弁１４が封止ばね２９によって確実に閉じており、その水道水が吸水口１１側からポンプカバー４１の外に溢れてしまうことがないとともに、その水道水が、駆動側円筒状マグネット収納室１７と、従動側円筒状マグネット収納室１８及びポンプランナー収納室６が、ポンプケーシング３による隔壁（外壁面）によって遮断されているために、駆動側円筒状マグネット収納室１７に侵入することがなく、前記水道水がモータ部材２を介してポンプケーシング３の外に漏れることがない。したがって、洗濯作業時に、洗濯機用自吸式ポンプ装置１を利用して、水道栓口４４に直結された給水電磁弁４５から吐出された水道水を、開放状態で所定の管路を介して上記実施形態のポンプカバー４１の呼び水口１３に注入させるようにしても、その水道水が、洗濯機用自吸式ポンプ装置１を設置したトップカバー４１上に流出することがない。
【００７３】
次に、本発明の他実施形態を、図１８に基づき、詳説する。図１８において、図１〜図１５と同一符号は同一内容を表している。
【００７４】
図１〜図１５に示す洗濯機用自吸式ポンプ装置１では、モータ本体の回転軸及びポンプランナーの支持軸が略水平となる構造、いわゆる、横形構造としている。それに対して、図１８に示す他実施形態の洗濯機用自吸式ポンプ装置５０では、モータ本体の回転軸及びポンプランナーの支持軸が略垂直となる構造、いわゆる、縦形構造としている。すなわち、洗濯機用自吸式ポンプ装置５０は、モータ部材２が取り付けられたポンプケーシング５１と、このポンプケーシング５１に水密的に取り付けられたポンプカバー５２と、このポンプカバー５２の内壁に取り付けられて吸込み室５とポンプランナー収納室６と気水分離室７とに仕切るための仕切り体５３と、ポンプランナー収納室６内に支持軸９によって回転自在に設けられたクローズブレード方式のポンプランナー１０と、このポンプランナー１０を回転させることで吸込み室５とポンプランナー収納室６と気水分離室７内に水を吸込ませるための吸水口５１Ｃと、ポンプランナー１０を回転させることで吸込み室５とポンプランナー収納室６と気水分離室７内の水をポンプカバー４の外方に吐出させるための吐出口１２と、吸込み室５とポンプランナー収納室６と気水分離室７内に呼び水を注入するための呼び水口１３と、ポンプランナー１０に一体に設けた従動側円筒状マグネット体１５と、モータ本体２０の回転軸２０Ａに取り付けられた駆動側円筒状マグネット体１６と、吸込み室５への吸込み水平通路５４Ａを形成するための底板５４と、ポンプケーシング５１に設けた吸水口５１Ｃに一体形成された垂直通路管体５１Ｄを吸込み水平通路５４Ａに水密的に連結するためのパッキング５５とを備えている。底板５４は、ポンプカバー５２の外底部に一体に形成された吸込み水平通路用の枠体５２Ａに水密的に固定されている。
【００７５】
図１８に示す他実施形態の洗濯機用自吸式ポンプ装置５０では、モータ本体２０の回転軸２０Ａ及びポンプランナー１０の支持軸９が垂直方向となるように、しかも、上から下に向って、モータ部材２、駆動側円筒状マグネット体１６、ポンプランナー１０の順で、配置されるようにしてある。ポンプケーシング５１は、駆動側マグネット収納室１７を形成する有底筒状の円筒部５１Ａと、この円筒部５１Ａの開口端外周に一体形成した方形の取り付けフランジ５１Ｂと、この取り付けフランジ５１Ｂに一体に形成された吸水口５１Ｃと、この吸水口５１Ｃに一体形成された垂直通路管体５１Ｄと、円筒部５１Ａの底部の外壁に一体的に形成された渦巻き状の流体案内壁（水案内壁）５１Ｅと、円筒部５１Ａのポンプランナー収納室６に対向する底部に形成されて従動側円筒状マグネット収納室１８となる円筒状凹部５１Ｆとから形成されている。円筒部５１Ａの底部の厚さは、約１ｍｍとしてある。ポンプケーシング５１の吸水口５１Ｃには、図１に示す一実施形態の洗濯機用自吸式ポンプ装置１と同様に吸込みホース２７が接続される。
【００７６】
外郭形状を略箱状としたポンプカバー５２の側面上部には、図１８の示すように、吐出口１２及び呼び水口１３が配設されている。渦巻き室となるポンプランナー収納室６は、図１８に示すように、ポンプケーシング５１の底部の外壁に一体的に形成された渦巻き状の流体案内壁５１Ｅと、この流体案内壁５１Ｅの外周に隙間なく嵌合するところの、仕切り体５３に設けた渦巻き壁５３Ａとによって形成される。ポンプカバー５２の上端開口部には、取り付けフランジ５２Ｂが形成されている。ポンプケーシング５１と仕切り体５３とは、ポンプカバー５２の内壁に設けた凸状リブ５２Ｃを仕切り体５３の側壁に設けた凹み５３Ｂに、弾性封止部材２６を介在させて装着させることによって、水密的に取り付けられる。
【００７７】
モータ部材２の回転軸２０Ａに駆動側円筒状マグネット体１６が取り付けられた状態でその駆動側円筒状マグネット体１６を、ポンプケーシング５１の挿入開口５１Ｊから駆動側円筒状マグネット収納室１７に挿入することによりその駆動側円筒状マグネット体１６の駆動側円筒状マグネット３９を円筒状凹部５１Ｆの外周に配設させ、かつ、円筒状凹部５１Ｆ内（従動側円筒状マグネット収納室１８）に従動側円筒状マグネット体１５の従動側円筒状マグネット３５を配設させることで、駆動側円筒状マグネット３９と従動側円筒状マグネット３５を、ポンプケーシング５１の外壁を介して同心円筒状に対向させることで磁気結合させるようにしてある。
【００７８】
ポンプケーシング５１の円筒状凹部５１Ｆ及び駆動側円筒状マグネット体１６の大きさ並びに中空ボス部３７のモータ部材２の回転軸２０Ａへの圧入深さ寸法は、駆動側円筒状マグネット３９とポンプケーシング５１の円筒状凹部５１Ｆの外周壁との間に隙間が保持されるように設定されている。また、従動側円筒状マグネット体１５及びポンプランナー１０の大きさは、従動側円筒状マグネット３５とポンプケーシング５１の円筒状凹部５１Ｆの内周壁との間に隙間が保持されるように設定されている。
【００７９】
ポンプランナー収納室６には、図１８に示すように、モータ本体２０の回転軸２０Ａの長手方向と同方向に延びるように、支持軸９が設けられている。支持軸９は、一端側のDカット形状部９Ａをポンプケーシング５１の底部外壁に設けたＤカット状凹部５１Ｇに挿入し、かつ、他端側をポンプカバー５２の内壁面に設けた筒状凹部５２Ｄに挿入した後、ポンプケーシング５１とポンプカバー５２を水密的に一体保持された状態にすることで、ポンプケーシング５１のＤカット状凹部５１Ｇとポンプカバー５２の筒状凹部５２Ｄとの間に挟持される。ポンプケーシング５１には、Ｄカット状凹部５１Ｇを形成するために、そのポンプケーシング５１の底部の内壁側に突出させた突出円筒部５１Ｈが形成されている。
【００８０】
ポンプケーシング５１の底部外壁に設けたＤカット状凹部５１Ｇ部分には、図１８に示すように、図１３に示すものと同一形状のセラミック体３１を装着してある。このセラミック体３１は、軸受３０の円形状鍔部３０Ｂが摺接するようにしてある。ポンプケーシング５１の底部の外壁に設けたＤカット状凹部５１Ｇの周縁には、セラミック体３１を嵌合装着するためのＤカット状嵌合部５１Ｋが形成されている。セラミック体３１には、ポンプケーシング５１のＤカット状嵌合部５１Ｋに嵌るＤカット状部３１Ａが一面側に形成されている。
【００８１】
上記他実施形態の洗濯機用自吸式ポンプ装置５０によれば、モータ本体２０を回転させると、ポンプケーシング５１の駆動側マグネット収納室１７内で、駆動側円筒状マグネット体１６が高速回転する。駆動側円筒状マグネット体１６が高速回転すると、従動側円筒状マグネット体１５及びポンプランナー１０が、高速回転して、吸水口５１Ｃからポンプカバー５２内に揚水した水を吐出口１２から効率よく吐出させることができる。この場合、ポンプカバー５２内の水が、ポンプケーシング５１により遮断されて、駆動側マグネット収納室１７側に浸入することがないので、モータ部材２及びモータ部材２の周りの電気部品を流体で濡らすことがないとともに、ポンプカバー５２内の水がポンプケーシング５１の駆動側マグネット収納室から外部に流出して、洗濯機用自吸式ポンプ装置５０と一緒に設置されている電気部品を濡らしてしまうようなことがなくなるので、安全性が高く、かつ、長寿命化が図られる。
【００８２】
さらに、上記他実施形態の洗濯機用自吸式ポンプ装置５０によれば、ポンプカバー５２内の水がポンプケーシング５１により遮断されて、駆動側マグネット収納室１７内に流れ込むことがないため、モータケース１９の貫通孔１９Ｃからモータケース１９内の水が流れ込むことがないので、駆動側マグネット収納室１７側への水の浸入を阻止するためのメカニカルシールなどの特別なシール装置を設ける必要性がなくなったため、安価で、生産性が向上する。また、ポンプケーシング５１には、従来のように水抜き穴を設けなくともよいので、ポンプケーシング５１を成形する金型が簡単となるため、この点でも、生産性が向上する。したがって、他実施形態の洗濯機用自吸式ポンプ装置５０ように、縦形構造としても、図１に示す洗濯機用自吸式ポンプ装置１と同等のポンプ性能を奏しえる。
【００８３】
上記実施形態の洗濯機４０としては、全自動洗濯機のみでなく、洗濯乾燥機（縦形タイプ及びドラムタイプを含む）などであってもよい。また、上記した弾性爪部３４Ａを係止凹部３５Ａに係止させることで、従動側円筒状マグネット３５を円筒状取り付け部材３４の外周壁に固定する構成及び弾性爪部３６Ａを係止凹部３９Ａに係止させることで、駆動側円筒状マグネット３９を円筒容器状収納ケース３６の内周壁に固定する構成は、呼び水口１３及び逆流防止弁１４を備えた本実施形態の洗濯機用自吸式ポンプ装置１に限定させるものではなく、駆動側円筒状マグネット３９と従動側円筒状マグネット３５を、ポンプケーシング３を介して同心円筒状に対向させることによって磁気結合させることによりポンプランナーを回転させるようにしたポンプ装置や呼び水口１３及び逆流防止弁１４を備えない構成の洗濯機用自吸式ポンプ装置や非自吸水式ポンプ装置であっても採用できる。
【００８４】
さらに、上記実施形態では、ポンプランナー１０の中心に圧入固定される軸受３０を、支持軸９に嵌合する中空円筒部３０Ａと、この中空円筒部３０Ａの端縁に形成した円形状鍔部３０Ｂとから構成するとともに、軸受３０の円形状鍔部３０Ｂに摺接する中空円筒形状のセラミック体３１を設け、このセラミック体３１には、ポンプケーシング３の外壁に設けたＤカット状嵌合穴３Ｈに嵌るＤカット状部３１Ａを形成してなる構成は、呼び水口１３及び逆流防止弁１４を備えた本実施形態の洗濯機用自吸式ポンプ装置１に限定させるものではなく、駆動側円筒状マグネット３９と従動側円筒状マグネット３５を、ポンプケーシング３を介して対向させることで磁気結合させることで、ポンプランナー１０を回転させるようにしたポンプ装置や呼び水口１３及び逆流防止弁１４を備えない構成の洗濯機用自吸式ポンプ装置や非自吸水式ポンプ装置であっても採用できる。
【図面の簡単な説明】
【００８５】
【図１】本発明の一実施形態に係わる洗濯機用自吸式ポンプ装置の要部縦断面図である。
【図２】本発明の一実施形態に係わる洗濯機用自吸式ポンプ装置の要部外観斜視図である。
【図３】本発明の一実施形態に係わる洗濯機用自吸式ポンプ装置を分解した状態を示す全体斜視図である。
【図４】本発明の一実施形態に係わる洗濯機用自吸式ポンプ装置のポンプケーシングからポンプカバーを取り外してそのポンプケーシングからポンプランナーを引き出した状態を示す外観斜視図である。
【図５】本発明の一実施形態に係わる洗濯機用自吸式ポンプ装置におけるポンプカバーに仕切り体が取り付けられた状態を示す要部斜視図である。
【図６】本発明の一実施形態に係わる洗濯機用自吸式ポンプ装置におけるポンプカバーから仕切り体及び封止ばねを取り外した状態を示す要部斜視図である。
【図７】本発明の一実施形態に係わる洗濯機用自吸式ポンプ装置における仕切り体の渦巻き壁が設けられた側から見た要部斜視図である。
【図８】本発明の一実施形態に係わる洗濯機用自吸式ポンプ装置における仕切り体の凹みが設けられた側から見た要部斜視図である。
【図９】本発明の一実施形態に係わる洗濯機用自吸式ポンプ装置における仕切り体の平面図である。
【図１０】図９のＡ−Ａ断面図である。
【図１１】本発明の一実施形態に係わる洗濯機用自吸式ポンプ装置における逆流防止弁の要部平面図である。
【図１２】図１１のＢ−Ｂ断面図である。
【図１３】本発明の一実施形態に係わる洗濯機用自吸式ポンプ装置に用いられるセラミック体の外観斜視図である。
【図１４】本発明の一実施形態に係わる洗濯機用自吸式ポンプ装置に置ける従動側円筒状マグネット体の分解斜視図である。
【図１５】本発明の一実施形態に係わる洗濯機用自吸式ポンプ装置における駆動側円筒状マグネット体の分解斜視図である。
【図１６】本発明の一実施形態に係わる洗濯機用自吸式ポンプ装置を搭載してなる洗濯機の要部縦断面図である。
【図１７】本発明の一実施形態に係わる洗濯機用自吸式ポンプ装置の組立方法の手順を示す流れ図である。
【図１８】本発明の他実施形態に係わる洗濯機用自吸式ポンプ装置の要部縦断面図である。
【符号の説明】
【００８６】
１          洗濯機用自吸式ポンプ装置
２          モータ部材
３          ポンプケーシング
３Ａ        挿入開口
３Ｂ        円筒状凹部
３Ｃ        反ポンプカバー側外壁面
３Ｄ        螺子穴
３Ｅ        取り付けフランジ
３Ｆ        溶着用リブ
３Ｇ        渦巻き状嵌合溝
３Ｈ        Ｄカット状嵌合穴
３Ｊ        突出円筒部
３Ｋ        Ｄカット状嵌合部
４          ポンプカバー
４Ａ        封止弁座
４Ｂ        取り付け凹部
４Ｃ        係止突起体
４Ｄ        凸状リブ
４Ｅ        筒状凹部
４Ｆ        取り付けフランジ
４Ｇ        水通路部
４Ｈ        溶着用溝
５          吸込み室
６          ポンプランナー収納室
７          気水分離室
７Ａ        第1気水分離室
７Ｂ        第２気水分離室
８          仕切り体
８Ａ        開閉ストローク確保用の袋部
８Ｂ        封止ばね受け凹部
８Ｂ−１    傾斜突起
８Ｃ        渦巻き壁
８Ｄ        嵌合突起溝部
８Ｅ        押圧リブ
８Ｆ        流入開口
８Ｇ        凹み
９          支持軸
９Ａ        Dカット形状部
９Ｂ        他端側
１０        ポンプランナー
１０Ａ      中央開口
１０Ｂ      軸体
１１        吸水口
１２        吐出口
１３        呼び水口
１４        逆流防止弁
１４Ａ      横長楕円状の弁体部
１４Ｂ      取り付け片部
１４Ｃ      筒状突起部
１５        従動側円筒状マグネット体
１６        駆動側円筒状マグネット体
１７        駆動側円筒状マグネット収納室
１８        従動側円筒状マグネット収納室
１９        モータケース
１９Ａ      モータ挿入円筒部
１９Ｂ      モータ本体挿入開口
１９Ｃ      貫通孔
２０        モータ本体
２０Ａ      回転軸
２１        モータキャップ
２２        取り付け片
２２Ａ      取り付け穴
２３        螺子
２４        モータパッキング
２５        電気的接続体
２６        弾性封止部材
２７        吸水ホース
２８        フイルター
２９        封止ばね
３０        軸受
３０Ａ      中空円筒部
３０Ｂ      円形状鍔部
３１        セラミック体
３１Ａ      Ｄカット状部
３１Ｂ      中央挿入孔
３２        ワッシャー
３３        Ｅリング
３４        円筒状取り付け部材
３４Ａ      弾性爪部
３５        従動側円筒状マグネット
３５Ａ      係止凹部
３６        円筒容器状収納ケース
３６Ａ      弾性爪部
３６Ｂ      型抜き孔
３７        中空ボス部
３８        抜け止め筒部材
３９        駆動側円筒状マグネット
３９Ａ      係止凹部
４０        洗濯機
４１        トッカバー
４２        収納空間部
４３        上部カバー
４４        水道栓口
４５        給水電磁弁
４６        水道水案内部材
４６Ａ      仕切り壁
４６Ａ−１  第１部屋
４６Ａ−２  第２部屋
４６Ｂ      取り出し口
４６Ｃ      流出口
４６Ｄ      水道水衝突壁
４７        呼び水用ホース
４８        吐出用ホース
４９        ステンレス線
５０        洗濯機用自吸式ポンプ装置
５１        ポンプケーシング
５１Ａ      有底筒状の円筒部
５１Ｂ      取り付けフランジ
５１Ｃ      吸水口５
５１Ｄ      垂直通路管体
５１Ｅ      流体案内壁（水案内壁）
５１Ｆ      円筒状凹部
５１Ｇ      Ｄカット状凹部
５１Ｈ      突出円筒部
５１Ｊ      挿入開口
５１Ｋ      Ｄカット状嵌合部
５２        ポンプカバー
５２Ａ      枠体
５２Ｂ      取り付けフランジ
５２Ｃ      凸状リブ
５２Ｄ      筒状凹部
５３        仕切り体
５３Ａ      渦巻き壁
５３Ｂ      凹み
５４        底板
５４Ａ      吸込み水平通路
５５        パッキング
【図１】
2008110112.tif 000003
【図２】
2008110112.tif 000004
【図３】
2008110112.tif 000005
【図４】
2008110112.tif 000006
【図５】
2008110112.tif 000007
【図６】
2008110112.tif 000008
【図７】
2008110112.tif 000009
【図８】
2008110112.tif 000010
【図９】
2008110112.tif 000011
【図１０】
2008110112.tif 000012
【図１１】
2008110112.tif 000013
【図１２】
2008110112.tif 000014
【図１３】
2008110112.tif 000015
【図１４】
2008110112.tif 000016
【図１５】
2008110112.tif 000017
【図１６】
2008110112.tif 000018
【図１７】
2008110112.tif 000019
【図１８】
2008110112.tif 000020